(57)【要約】ヘッドセット（１２）を装着すると、ユーザの眼前に小型ディスプレイ（１０７）が設置される。本体（１１）は外部と通信して例えば電子メールのような情報を受信し、その一部、例えば差出入のデータを抽出して、ヘッドセット（１２）に送信する。ヘッドセット（１２）は受信した情報を小型ディスプレイ（１０７）に表示する。
2003046732.tif 000002
【特許請求の範囲】
【請求項１】
小型ディスプレイが設けられており、装着者の眼前に前記小型ディスプレイを設置可能なヘッドセットと、
外部と通信し、情報を受信する情報受信部と、
前記情報受信部が受信した情報のうち、その一部を、前記小型ディスプレイに表示させるために抽出する情報抽出部とを備えた
ことを特徴とする装着型情報告知装置。
【請求項２】
請求項１において、
前記情報受信部が受信した情報を表示するためのディスプレイを備えた
ことを特徴とする装着型情報告知装置。
【請求項３】
請求項１において、
前記情報抽出部の出力を、無線によって送信する送信部と、
前記送信部の送信を受け、前記小型ディスプレイに出力する受信部とを有することを特徴とする装着型情報告知装置。
【請求項４】
請求項１において、
前記情報抽出部は、前記情報受信部が受信した情報のうち、差出入に関する情報を抽出する
ことを特徴とする装着型情報告知装置。
【請求項５】
請求項１において、
前記情報抽出部は、前記情報受信部が受信した情報のうち、情報の重要度に関する情報を抽出する
ことを特徴とする装着型情報告知装置。
【請求項６】
請求項１において、
前記情報抽出部は、前記情報受信部が受信した情報のうち、その情報が含む文章から切り出したキーワードを抽出する
ことを特徴とする装着型情報告知装置。
【請求項７】
請求項４〜６のいずれか１項において、
前記情報抽出部は、抽出した情報に所定の色情報を付加して出力する
ことを特徴とする装着型情報告知装置。
【請求項８】
請求項２において、
前記情報抽出部は、前記情報受信部が受信した情報のうち、その情報中の文字列に関して設定された色分け情報を抽出する
ことを特徴とする装着型情報告知装置。
【請求項９】
請求項１において、
前記ヘッドセットは、イヤホンを備えており、
当該装着型情報告知装置は、前記情報抽出部から出力された情報に基づいて、前記イヤホンに音声信号を出力する音声告知部を備えている
ことを特徴とする装着型情報告知装置。
【請求項１０】
請求項１において、
前記ヘッドセットは、振動を与える振動部を備えており、
当該装着型情報告知装置は、前記情報抽出部から出力された情報に基づいて、前記振動部に振動信号を出力する振動告知部を備えている
ことを特徴とする装着型情報告知装置。
【請求項１１】
小型ディスプレイが設けられており、装着者の眼前に前記小型ディスプレイを設置可能なヘッドセットと、
情報を記憶した媒体を再生する情報再生部と、
前記情報再生部が再生した情報のうち、その一部を、前記小型ディスプレイに表示させるために抽出する情報抽出部とを有する
ことを特徴とする装着型情報告知装置。
【請求項１２】
請求項１において、
前記ヘッドセットは、与えられた制御信号に応じて、前記小型ディスプレイの表示方式を制御する表示制御部を備えている
ことを特徴とする装着型情報告知装置。
【請求項１３】
請求項１２において、
前記表示制御部は、前記小型ディスプレイの表示の明るさ、または、表示の有無を制御する
ことを特徴とする装着型情報告知装置。
【請求項１４】
請求項１２において、
前記ヘッドセット外部の環境状態を検出し、検出した環境状態に応じて、前記表示制御部に前記制御信号を与える環境検出部を備えた
ことを特徴とする装着型情報告知装置。
【請求項１５】
請求項１４において、
前記環境検出部は、前記環境状態として、周囲の明るさを検出する
ことを特徴とする装着型情報告知装置。
【請求項１６】
請求項１２において、
前記ヘッドセット外部の環境状態を示す環境情報を受け、受けた環境情報に応じて、前記表示制御部に前記制御信号を与える環境情報受信部を備えた
ことを特徴とする装着型情報告知装置。
【請求項１７】
請求項１６において、
前記環境情報受信部は、前記環境情報として、前記人が運転する車の速度を受ける
ことを特徴とする装着型情報告知装置。
【請求項１８】
請求項１において、
前記ヘッドセットは、
前記小型ディスプレイを、装着者の眼前、または、装着者の眼前以外の位置に切替設置可能な駆動機構と、
前記情報抽出部から出力された情報に基づいて、前記駆動機構の動作を制御する駆動制御部とを備えている
ことを特徴とする装着型情報告知装置。
【請求項１９】
請求項１８において、
前記ヘッドセット外部の環境状態を示す環境情報を受け、受けた環境情報を前記駆動制御部に与える環境情報受信部を備え、
前記駆動制御部は、前記環境情報を加味して、前記駆動機構の動作を制御することを特徴とする装着型情報告知装置。
【発明の詳細な説明】
技術分野
本発明は、ユーザが装着可能に構成されており、メールの受信情報などの情報を、ユーザに負担をかけることなく通知することができる装着型情報告知装置に関する。
背景技術
近年、携帯端末を利用して、メールの送受信や電子新聞の配信等が、盛んに行われている。そして、現実世界で他人と会話を楽しんでいたり、業務上重要な会議を行っているときでも、携帯端末に情報が配信されると、着信音や震動によってユーザに通知される。通知を受けたユーザは、携帯端末を取り出して、配信された情報の内容を確認することができる。
しかしながら、会話の途中で着信音を聞いて携帯端末を取り出し、配信された情報内容を確認するといった行為は、会話の相手にしてみれば不愉快な場合がある。また、重要な会議の間に着信音が鳴ったとき、たとえ重要でないメールであってもその内容を確認するために携帯端末を取り出す必要があり、ユーザにとってわずらわしい。このわずらわしさを解消するために、発信元に応じて着信音を変更する手法があるが、内容を確認するためにはやはり携帯端末を取り出す必要があり、さほど有効ではない。
そこで、常時、眼の前に小型ディスプレイを設置して、メール等が着信したとき、その小型ディスプレイに情報を表示するといった方法が考えられる。これにより、他人に気づかれることなく、メールが着信したという情報を確認できる。
特許文献１では、小型ディスプレイが設けられたゴーグル型のヘッドセットが開示されている。また特許文献２では、受信した情報を、装着した小型ディスプレイに表示させる技術が開示されている。
（特許文献１）特開平１０−３２２６２４号公報
（特許文献２）特開２００１−１０１０９６号公報
−解決課題−
ところが、常時、眼の前に設置しうるような小型ディスプレイは、通常、表示能力が劣っており、大量の情報を表示させるのには不向きである。また、実際に小型ディスプレイを利用した場合、人間の目の特性上、表示される情報を瞬時に判断することは難しい、という問題がある。
前記の問題に鑑み、本発明は、装着者の眼前に小型ディスプレイを設置可能なヘッドセットを備えた装着型情報告知装置において、受信した情報を、ユーザがその重要性を瞬時に判断し得るように提供可能にすることを課題とする。
発明の開示
本発明は、装着型情報告知装置として、小型ディスプレイが設けられており、装着者の眼前に前記小型ディスプレイを設置可能なヘッドセットと、外部と通信し、情報を受信する情報受信部と、前記情報受信部が受信した情報のうち、その一部を、前記小型ディスプレイに表示させるために抽出する情報抽出部とを備えたものである。
これにより、情報受信部が受信した情報のうち、情報抽出部によって抽出されたその一部が、装着者の眼前に設置された小型ディスプレイに表示される。したがって、ユーザは、他人に悟られることなく、情報の全部を確認する前に、瞬時に情報の内容を察知することができる。
そして、前記本発明に係る装着型情報告知装置は、前記情報受信部が受信した情報を表示するためのディスプレイを備えているのが好ましい。
また、前記本発明に係る装着型情報告知装置は、前記情報抽出部の出力を無線によって送信する送信部と、前記送信部の送信を受け、前記小型ディスプレイに出力する受信部とを有するのが好ましい。
また、前記本発明に係る装着型情報告知装置における情報抽出部は、前記情報受信部が受信した情報のうち、差出入に関する情報を抽出するのが好ましい。
また、前記本発明に係る装着型情報告知装置における情報抽出部は、前記情報受信部が受信した情報のうち、情報の重要度に関する情報を抽出するのが好ましい。
また、前記本発明に係る装着型情報告知装置における情報抽出部は、前記情報受信部が受信した情報のうち、その情報が含む文章から切り出したキーワードを抽出するのが好ましい。
さらに、前記情報抽出部は、抽出した情報に所定の色情報を付加して出力するのが好ましい。
また、前記本発明に係る装着型情報告知装置における情報抽出部は、前記情報受信部が受信した情報のうち、その情報中の文字列に関して設定された色分け情報を抽出するのが好ましい。
また、前記本発明に係る装着型情報告知装置において、前記ヘッドセットは、イヤホンを備えており、当該装着型情報告知装置は、前記情報抽出部から出力された情報に基づいて、前記イヤホンに音声信号を出力する音声告知部を備えているのが好ましい。
また、前記本発明に係る装着型情報告知装置において、前記ヘッドセットは、振動を与える振動部を備えており、当該装着型情報告知装置は、前記情報抽出部から出力された情報に基づいて、前記振動部に振動信号を出力する振動告知部を備えているのが好ましい。
また、前記本発明に係る装着型情報告知装置におけるヘッドセットは、与えられた制御信号に応じて、前記小型ディスプレイの表示方式を制御する表示制御部を備えているのが好ましい。
そして、前記表示制御部は、前記小型ディスプレイの表示の明るさ、または、表示の有無を制御するのが好ましい。
また、前記装着型情報告知装置は、前記ヘッドセット外部の環境状態を検出し、検出した環境状態に応じて、前記表示制御部に前記制御信号を与える環境検出部を備えているのが好ましい。さらに、前記環境検出部は、前記環境状態として、周囲の明るさを検出するのが好ましい。
また、前記装着型情報告知装置は、前記ヘッドセット外部の環境状態を示す環境情報を受け、受けた環境情報に応じて、前記表示制御部に前記制御信号を与える環境情報受信部を備えているのが好ましい。さらに、前記環境情報受信部は、前記環境情報として、前記人が運転する車の速度を受けるのが好ましい。
また、前記本発明に係る装着型情報告知装置におけるヘッドセットは、前記小型ディスプレイを、装着者の眼前、または、装着者の眼前以外の位置に切替設置可能な駆動機構と、前記情報抽出部から出力された情報に基づいて、前記駆動機構の動作を制御する駆動制御部とを備えているのが好ましい。
そして、前記装着型情報告知装置は、前記ヘッドセット外部の環境状態を示す環境情報を受け、受けた環境情報を前記駆動制御部に与える環境情報受信部を備え、前記駆動制御部は、前記環境情報を加味して、前記駆動機構の動作を制御するのが好ましい。
また、本発明は、装着型情報告知装置として、小型ディスプレイが設けられており、装着者の眼前に前記小型ディスプレイを設置可能なヘッドセットと、情報を記憶した媒体を再生する情報再生部と、前記情報再生部が再生した情報のうち、その一部を、前記小型ディスプレイに表示させるために抽出する情報抽出部とを有するものである。
発明の実施をするための最良の形態
以下、本発明の実施の形態について、図面を参照して説明する。
（第１の実施形態）
図１は本発明の第１の実施形態に係る装着型情報告知装置の外形図である。図１において、１１は外部と通信して情報を受信する本体、１２はユーザが装着するヘッドセットである。本体１１は、携帯電話等と同様の大きさの大型ディスプレイ１０８を有する。ヘッドセット１２は、弾性を有するカチューシャによってユーザの頭部にほぼ水平に装着される形状となっていて、カチューシャの一端に小型ディスプレイ１０７を有する。
図２は図１の装着型情報告知装置をユーザが装着した状態を示す図であり、（ａ）は側面図、（ｂ）は正面図である。ヘッドセット１２を装着したとき、小型ディスプレイ１０７は装着者の眼前に、その視界に入るように設置される。本体１１は、ユーザのベルトやポケットなどに携帯される。
図３は図１の装着型情報告知装置の機能ブロック図である。図３において、１０１は外部と通信し、情報を受信する情報受信部、１０２は情報受信部を制御する制御部、１０３は制御部１０２の操作をユーザから受け付ける操作部、１０４は情報受信部１０１が受信した情報のうち、その一部を、小型ディスプレイ１０７に表示させるために抽出する情報抽出部、１０５は情報抽出部１０４が抽出した情報をヘッドセット１２に送信する送信部、１０６は本体１１からの情報を受信する受信部である。
以上のように構成された本実施形態に係る装着型情報告知装置について、図４のフローチャートを参照して、その動作を説明する。ここでは、情報受信部１０１は無線公衆網に接続されており、外部からの情報として電子メールを受信するものとする。
［ステップＳ１１］
操作部１０３は、小型ディスプレイ１０７に表示する項目に関する設定入力をユーザから受け付ける。ユーザが入力可能な項目は、表示するメール属性（「差出入」「件名」「重要度」「キーワード」）の選択、表示するメール属性の属性値の条件、メール属性の属性値と表示の文字色または背景色との関連付け、表示の点滅動作の有無である。例えば、ユーザは、メール属性として「キーワード」を表示し、「キーワード」に「Ｃ」が含まれる場合は文字を「赤色」で表示し、表示は「点滅動作」で表示させる、という内容を設定可能である。また、例えばある特定のユーザからのメールが届いた場合は「緑」という設定を行ったり、件名中や情報中に重要なキーワードが含まれるときには「青」という設定を行ったり、メールの送信者が重要度を設定したメールを受け取った場合には「黄」といった設定を行うことができるし、送信者が色を指定しても良い。
［ステップＳ１２］
制御部１０２は、ステップＳ１１での入力に基づき、情報受信部１０１に情報受信開始の指示を行い、情報抽出部１０４に情報抽出方法の指示を行う。
［ステップＳ１３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
［ステップＳ１４］
情報抽出部１０４は、ステップＳ１１での入力に基づき、情報受信部１０１が受信した情報から差出入、件名、重要度またはキーワードを切り出し、表示色や点滅の表示属性を加えた表示信号として送信部１０５に渡す。
［ステップＳ１５］
送信部１０５は、ステップＳ１４で抽出した表示信号を近距離無線を用いてヘッドセット１２に送信する。
［ステップＳ１６］
受信部１０６は、ステップＳ１５で送信された表示信号を、近距離無線を用いて受信する。
［ステップＳ１７］
受信部１０６は、ステップＳ１６で受信した表示信号を小型ディスプレイ１０７を通じて表示する。
［ステップＳ１８］
操作部１０３は、ステップＳ１３で受信し保管されているメールの大型ディスプレイ１０８への表示の指示入力をユーザから受け付ける。所定時間内に指示があったときはステップＳ１９に進む一方、所定時間内に指示がなかったときはステップＳ１３に戻る。
［ステップＳ１９］
制御部１０２は、ステップＳ１８での入力指示に基づき、情報受信部１０１に大型ディスプレイ１０８への表示の指示を行う。
［ステップＳ１Ａ］
情報受信部１０１は、ステップＳ１３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ１３に戻る。
図５は以上のような動作の結果得られた、小型ディスプレイ１０７と大型ディスプレイ１０８の表示例を示す。図５では、まず、メールの到着とユーザにより選択されたメール属性（「差出入」「件名」「重要度」「キーワード」のいずれか）が小型ディスプレイ１０７に表示される。以降、ユーザの操作によって、メールリストおよびメール本文が大型ディスプレイ１０８に表示される。また、小型ディスプレイに、色のみを表示させたり、点滅表示させたりしても良い。
以上のように本実施形態によると、装着者の眼前に設置されたディスプレイにメールの到着と内容の一部を表示することによって、本体を取り出さなくてもメールの着信を告知することができる。
また、色情報を用いることによって、ユーザは、小型ディスプレイを注視しなくても受け取ったメールの内容の概略を察知することができる。
また、例えば、大型ディスプレイで情報を閲覧中に、ユーザが重要な情報を読んでいるとき、小型ディスプレイにその情報の重要度を示す情報を提示する、といった用途も考えられる。すなわち、ユーザは大型ディスプレイを注視しているが、重要な情報に差し掛かったときに小型ディスプレイに色情報等を表示することによって、ユーザに、大型ディスプレイを注視させたまま、注意を促すことができる。
（第２の実施形態）
上述の第１の実施形態では、小型ディスプレイを用いて情報を告知するものとしたが、第２の実施形態では、さらにイヤホンを用いた音声によって情報を告知するものである。
図６は本実施形態に係る装着型情報告知装置の外形図、図７は図６の装着型情報告知装置をユーザが装着した状態を示す図、図８は図６の装着型情報告知装置の機能ブロック図である。第１の実施形態に係る図１〜図３と共通の構成要素には同一の符号を付しており、ここでは詳細な説明は省略する。第１の実施形態との相違点は、ヘッドセット１２Ａが、耳に装着するイヤホン２０１と、情報抽出部１０４から出力された情報に基づいて、イヤホン２０１に音声信号を出力する音声告知部２０２とを備えたことである。
以上のように構成された本実施形態に係る装着型情報告知装置について、図９のフローチャートを参照して、その動作を説明する。ここでも第１の実施形態と同様に、情報受信部１０１は無線公衆網に接続されており、外部からの情報として電子メールを受信するものとする。
［ステップＳ２１］
操作部１０３は、小型ディスプレイ１０７に表示する項目およびイヤホン２０１で再生する音声に関する設定入力をユーザから受け付ける。ユーザが入力可能な項目は、表示するメール属性（「差出入」「件名」「重要度」「キーワード」）の選択、表示するメール属性の属性値の条件、メール属性の属性値と表示の文字色あるいは背景色との関連付け、および表示の点滅動作の有無、さらに加えて、メール属性の属性値と音声との関連付け、音量または音量の遷移設定である。例えば、ユーザは、メール属性として「キーワード」を表示し、「キーワード」に「Ｃ」が含まれる場合は文字を「赤色」で表示し、表示は「点滅動作」で表示させ、「効果音Ｈ」を「徐々に拡大する音量で」再生するという内容を設定可能である。
［ステップＳ２２］
制御部１０２は、ステップＳ２１での入力に基づき、情報受信部１０１に情報受信開始の指示を行い、情報抽出部１０４に情報抽出方法の指示を行う。
［ステップＳ２３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
［ステップＳ２４］
情報抽出部１０４は、ステップＳ２１での入力に基づき、情報受信部１０１が受信した情報から差出入、件名、重要度またはキーワードを切り出し、表示色や点滅の表示属性を加えた表示信号として送信部１０５に渡す。また、本体１１に予め記憶されている複数の音声から、切り出した情報との関連付けを設定された音声を取り出し、再生信号として送信部１０５に渡す。
［ステップＳ２５］
送信部１０５は、ステップＳ２４で抽出した表示信号および再生信号を近距離無線を用いてヘッドセット１２に送信する。
［ステップＳ２６］
受信部１０６は、ステップＳ２５で送信された表示信号および再生信号を、近距離無線を用いて受信する。
［ステップＳ２７］
受信部１０６は、ステップＳ２６で受信した表示信号を小型ディスプレイ１０７を通じて表示する。また、再生信号を音声告知部２０２に渡す。
［ステップＳ２８］
音声告知部２０２は、再生信号をイヤホン２０１を通じて再生する。
［ステップＳ２９］
操作部１０３は、ステップＳ２３で受信し保管されているメールの大型ディスプレイ１０８への表示の指示入力をユーザから受け付ける。所定時間内に指示があったときはステップＳ２Ａに進む一方、所定時間内に指示がなかったときはステップＳ２３に戻る。
［ステップＳ２Ａ］
制御部１０２は、ステップＳ２９での入力に基づき、情報受信部１０１に大型ディスプレイ１０８への表示の指示を行う。
［ステップＳ２Ｂ］
情報受信部１０１は、ステップＳ２３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ２３に戻る。
以上のように本実施形態によると、ユーザの眼前に設置された小型ディスプレイにメールの到着と内容の一部を表示し、さらにイヤホンの音声によって告知することにより、小型ディスプレイの表示に気付かない場合でもメールの着信を確実に告知することができる。
（第３の実施形態）
上述の第２の実施形態では、小型ディスプレイでの表示に加えて音声を用いて情報を告知するものとしたが、第３の実施形態は、音声ではなく振動で情報を告知するものである。
図１０は本実施形態に係る装着型情報告知装置の外形図、図１１は図１０の装着型情報告知装置をユーザが装着した状態を示す図、図１２は図１０の装着型情報告知装置の機能ブロック図である。第１の実施形態に係る図１〜図３と共通の構成要素には同一の符号を付しており、ここでは詳細な説明は省略する。第１の実施形態との相違点は、ヘッドセット１２Ｂが、頭部に振動を与える振動部３０１と、情報抽出部１０４から出力された情報に基づいて、振動部３０１を振動信号によって駆動する振動告知部３０２とを備えたことである。
以上のように構成された本実施形態に係る装着型情報告知装置について、図１３のフローチャートを参照して、その動作を説明する。ここでも第１の実施形態と同様に、情報受信部１０１は無線公衆網に接続されており、外部からの情報として電子メールを受信するものとする。
［ステップＳ３１］
操作部１０３は、小型ディスプレイ１０７に表示する項目および振動部３０１での振動制御パターンに関する設定入力をユーザから受け付ける。ユーザが入力可能な項目は、表示するメール属性（「差出入」「件名」「重要度」「キーワード」）の選択、表示するメール属性の属性値の条件、メール属性の属性値と表示の文字色あるいは背景色との関連付け、および表示の点滅動作の有無、さらに加えて、メール属性の属性値と振動パターンとの関連付けである。例えば、ユーザは、メール属性として「キーワード」を表示し、「キーワード」に「Ｃ」が含まれる場合は文字を「赤色」で表示し、表示は「点滅動作」で表示させ、「振動パターンＪ」で振動させるという内容を設定可能である。
［ステップＳ３２］
制御部１０２は、ステップＳ３１での入力に基づき、情報受信部１０１に情報受信開始の指示を行い、情報抽出部１０４に情報抽出方法の指示を行う。
［ステップＳ３３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
［ステップＳ３４］
情報抽出部１０４は、ステップＳ３１での入力に基づき、情報受信部１０１が受信した情報から差出入、件名、重要度またはキーワードを切り出し、表示色や点滅の表示属性を加えた表示信号として送信部１０５に渡す。また、本体１１に予め記憶されている複数の振動パターンから、切り出した情報との関連付けを設定された振動パターンを取り出し、振動信号として送信部１０５に渡す。
［ステップＳ３５］
送信部１０５は、ステップＳ３４で抽出した表示信号および振動信号を近距離無線を用いてヘッドセット１２に送信する。
［ステップＳ３６］
受信部１０６は、ステップＳ３５で送信された表示信号および振動信号を近距離無線を用いて受信する。
［ステップＳ３７］
受信部１０６は、ステップＳ３６で受信した表示信号を小型ディスプレイ１０７を通じて表示する。また、振動信号を振動告知部３０２に渡す。
［ステップＳ３８］
振動告知部３０２は、振動信号により振動部３０１を振動駆動する。
［ステップＳ３９］
操作部１０３は、ステップＳ３３で受信し保管されているメールの大型ディスプレイ１０８への表示の指示入力をユーザから受け付ける。所定時間内に指示があったときはステップＳ３Ａに進む一方、所定時間内に指示がなかったときはステップＳ３３に戻る。
［ステップＳ３Ａ］
制御部１０２は、ステップＳ３９での入力に基づき、情報受信部１０１に大型ディスプレイ１０８への表示の指示を行う。
［ステップＳ３Ｂ］
情報受信部１０１は、ステップＳ３３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ３３に戻る。
以上のように本実施形態によると、ユーザの眼前に設置された小型ディスプレイにメールの到着と内容の一部を表示し、さらに頭部への振動によって告知することにより、音声による確認が困難な状況でもメールの着信を確実に告知することができる。
なお、第１〜第３の実施形態では、情報の受信は無線公衆網を用いたが、固定公衆網やテレビ放送ラジオ放送など他の方法でも良い。また、情報としてメールを受信するものとしたが、ニュースや番組表など他の情報でも良い。また、本体とヘッドセット間の通信は近距離無線を用いていたが、有線の通信や赤外線通信など他の通信手段でも良い。また、情報抽出部は本体側にあったが、ヘッドセット側にあっても良い。
（第４の実施形態）
上述の第１〜第３の実施形態では、外部からの情報を告知するものとしたが、第４の実施形態は、本体に挿入した媒体に記憶された情報を告知できるようにしたものである。
図１４は本実施形態に係る装着型情報告知装置の外形図である。図１４において、４１はＤＶＤなどの記録媒体４３から情報を読み出す本体、４２はユーザが装着するヘッドセットである。ヘッドセット４２は外観的には図６に示すヘッドセット１２Ａと同様に構成されており、弾性を有するカチューシャによってユーザの頭部にほぼ水平に装着される形状となっていて、カチューシャの一端に小型ディスプレイ４０７を有し、また、耳に装着するイヤホン４０９を有する。
図１５は図１４の装着型情報告知装置をユーザが装着した状態を示す図である。ヘッドセット４２を装着したとき、小型ディスプレイ４０７は装着者の眼前に、その視界に入るように設置される。本体４１は、ユーザのベルトやポケットなどに携帯される。
図１６は図１４の装着型情報告知装置の機能ブロック図である。図１６において、４０１は媒体４３に記憶されている情報を再生する媒体再生部、４０２は媒体再生部を制御する制御部、４０３は制御部の操作をユーザから受け付ける操作部、４０４は媒体再生部４０１が再生した情報をヘッドセット４２に送信する送信部、４０５は本体４１からの情報を受信する受信部、４０６は受信部４０５が受信した情報のうち、その一部を、小型ディスプレイ４０７に表示させるために抽出する情報抽出部、４０８は受信部４０５が受信した情報を音声に変換する音声変換部である。
以上のように構成された本実施形態に係る装着型情報告知装置について、図１７のフローチャートを参照して、その動作を説明する。ここでは、媒体再生部４０１はＳＤ（Ｓｅｃｕｒｅ  Ｄｉｓｋ）等に記録された音楽および楽曲データを再生するものとする。
［ステップＳ４１］
操作部４０３は、小型ディスプレイ４０７に表示する項目に関する設定入力をユーザから受け付ける。ユーザが入力可能な項目は、楽曲属性（「トラック番号」「アーティスト名」「曲名」「歌詞」）それぞれの表示の有無の選択である。また、操作部４０３は、再生の開始・停止などの制御操作をユーザから受け付ける。
［ステップＳ４２］
制御部４０２は、ステップＳ４１での入力に基づき、媒体再生部４０１に再生開始の指示を行う。
［ステップＳ４３］
送信部４０４は、ステップＳ４２で再生した情報を近距離無線を用いてヘッドセット４２に送信する。
［ステップＳ４４］
受信部４０５は、ステップＳ４３で送信した情報を近距離無線を用いて受信する。
［ステップＳ４５］
受信部４０５は、ステップＳ４４で受信した情報を情報抽出部４０６と音声変換部４０８に渡す。
［ステップＳ４６］
情報抽出部４０６は、ステップＳ４４で受信した情報から表示情報を取り出し、小型ディスプレイ４０７を通じて表示する。図１８は小型ディスプレイ１０７での表示の例である。
［ステップＳ４７］
音声変換部４０８は、ステップＳ４４で受信した情報から音声情報を取り出し、音声信号に変換し、イヤホン４０９を通じて再生する。
以上のように本実施形態によると、眼前に設置された小型ディスプレイに、媒体に記憶された情報の一部を表示することによって、ユーザが、媒体を再生させたときの付加情報を簡単に確認することができる。
なお、本実施形態では、本体とヘッドセット間の通信は近距離無線を用いていたが、有線の通信や赤外線通信など他の通信手段を用いてもよい。
（第５の実施形態）
本発明の第５の実施形態は、複数の機器から受けた情報を受信側の機器で選択的に表示するものである。図１９は本実施形態に係る装着型情報告知装置の機能ブロック図である。図１９において、図３および図１６と共通の構成要素には同一の符号を付しており、ここではその詳細な説明を省略する。ヘッドセット５２において、５０５は本体１１，４１からの情報を受信する受信部、５０６は受信部５０５が受信した情報から表示または再生する情報を選択する情報選択部、５０８は受信部５０５が受信した情報を音声に変換する音声変換部、５０７は情報を表示する小型ディスプレイ、５０９は音声を再生するイヤホンである。
以上のように構成された本実施形態に係る装着型情報告知装置の動作について、説明する。音楽再生とその楽曲情報の表示については、上述の第４の実施形態と同様である。さらに、音楽を再生中に緊急のメール等が情報受信部１０１に着信したとする。このとき、着信したメールから情報抽出部１０４で予め設定されていた情報が抽出され、送信部１０５を介して受信部５０５で受信される。受信部５０５で受信されたメールは、音楽再生に対してメール受信を優先するように設定されていた場合は、情報選択部５０６においてメール内容が選択され、楽曲情報が表示されている小型ディスプレイの内容が変更され、メールの内容が表示される。後の処理の流れは、第１の実施形態と同様なので、説明を省略する。
これにより、複数の機器からの情報を選択的に小型ディスプレイに統合表示することができる。ユーザは、情報の優先度を設定しておけば、一個のディスプレイで複数の機器の制御や状態確認を行うことができる。
なお、本実施の形態では、本体とヘッドセット間の通信は近距離無線を用いていたが、有線の通信や赤外線通信など他の通信手段を用いても良い。
（第６の実施形態）
上述の各実施形態では、小型ディスプレイはユーザの眼前に設置されているため、突然、情報を表示すると、ユーザが驚き困惑する場合がある。例えば、ヘッドセットを装着して車を運転しているユーザに対して、メール等の着信の通知を小型ディスプレイにいきなり表示すると、安全性の面で問題がある。また、映画館や博物館等の公共施設のように周囲が暗い場所では、ユーザの眼も周囲の状況に合わせているが、このとき、眼前に設置された小型ディスプレイにいきなり明るい輝度で情報が表示されても、ユーザが情報を確認することは困難である。本発明の第６の実施形態は、このような課題を解決するものである。
図２０は本実施形態に係る装着型情報告知装置の機能ブロック図であり、図３と共通の構成要素には同一の符号を付しており、ここではその詳細な説明を省略する。第１の実施形態と異なるのは、ヘッドセット１２Ｃが、与えられた制御信号に応じて小型ディスプレイ１０７の表示方式を制御する表示制御部６０１と、ヘッドセット１２Ｃ外部の環境状態を検出し、検出した環境状態に応じて表示制御部６０１に制御信号を与える環境検出部６０２とを備えている点である。
ここでは、環境検出部６０２は、ヘッドセット１２Ｃ外部の明るさを検出するものとする。そして表示制御部６０１は、環境検出部６０２によって検出された明るさに応じて、小型ディスプレイ１０７の表示の明るさを制御する。例えば表示制御部６０１は図２１のようなテーブルを予め記憶しており、環境検出部６０２によって検出された外部環境の明るさに応じて、小型ディスプレイ１０７の表示方式を選択する。これ以外の動作は、第１の実施形態と同様である。
これにより、周囲が暗い場合は、その暗さに合わせて情報が表示され、明るい場合は、それに合わせて情報が表示される。これにより、ユーザは、眼球に負担をかけることなく、情報を確認することが可能になる。
なお、環境検出部６０２は、本体１１側に設けてもよい。
また、明るさ以外の環境状態を検出するようにしてもよい。例えば、環境検出部６０２によって、周囲の騒音を検出するようにしてもよい。一般に、ユーザは、外部騒音が大きい場合には、外部からの情報に対して気づきにくい傾向がある。そこで、外部騒音が大きいときは、情報をユーザにより確実に知らせるために、通常よりも明るく表示したり、提示する画面をブリンクさせたりする。
また、環境検出部６０２によってユーザ本人の声が多く検出されたときは、ユーザは誰かと会話していると判断して、情報提示のタイミングを遅らせてもよい。これにより、ユーザと他人との交流を妨げることなく、小型ディスプレイに情報を提示することが可能になる。
また、環境検出部６０２においてジャイロ等によって振動を検出し、その振動パターンからユーザが歩行中または走行中と判断したときは、情報提示のタイミングを遅らせるようにしてもよい。
また、図２０の構成では、環境検出部６０２をヘッドセットに設けていたが、この代わりに、当該装着型情報告知装置の外部にある環境検出手段によって検出された環境情報を、無線または有線のネットワークを介して受信し、これに応じて小型ディスプレイ１０７の表示方式を制御してもよい。図２２はこのような構成を示す図であり、図２０の環境検出部６０２の代わりに、外部から環境情報を受け、受けた環境情報に応じて表示制御部６０１に制御信号を与える環境情報受信部６０３が設けられている。
ここでは、ユーザが自動車を運転中であり、環境情報受信部６０３は環境情報として、現在の車の速度を自動車のセンサから受信するものとする。そして、第１の実施形態におけるステップＳ１７において、表示制御部６０１は、車が移動中のときは、小型ディスプレイ１０７の表示を行わないようにし、車の速度がゼロまたは十分に遅くなったときに、小型ディスプレイ１０７での表示を行う。これにより、小型ディスプレイ１０７に表示がなされるのは、車の速度が遅くなり、十分に安全なことが確認されたときに限られるので、安全面で問題が生じることはない。。
また、車の速度だけでなく、例えば、サイドブレーキをかけたことや、エンジンを停止させたことを検出することにより、そのタイミングで情報を表示することもできる。
また、ＧＰＳ等の情報やジャイロの情報を利用することにより、例えば、ユーザが移動中（運転中や歩行中）の場合には、小型ディスプレイに表示する情報を制限することもできる。
また、図２３に示すように、例えば小型モータのような駆動機構６０４を設けて、小型ディスプレイ１０７が、装着者の眼前に設置されるか、または、装着者の眼前以外の位置に設置されるかを切り替え可能にしてもよい。これにより、例えば、ユーザにとって必要な情報があるときだけ、眼前に小型ディスプレイ１０７を設置し、ユーザにとって必要な情報がないときは、ユーザの視野から小型ディスプレイ１０７を外して、日常生活においてユーザの視野を妨げないようにすることができる。
図２４はこの場合の装着型情報告知装置の機能ブロック図である。図２４の構成では、ヘッドセット１２Ｅは、情報抽出部１０４から出力され受信部１０６によって受信された情報に基づいて、駆動機構６０４の動作を制御する駆動制御部６０５を備えている。また駆動制御部６０５は、環境情報受信部６０３によって受信された環境情報を加味して、駆動機構６０４の動作を制御する。
具体的には駆動制御部６０５は、例えば、ユーザにとって必要な情報が受信され、かつ、ユーザに情報を提示しても十分に安全な場合にのみ、駆動機構６０４を駆動して、小型ディスプレイ１０７をユーザの眼前に設置する。すなわち、ユーザが自動車等を運転している場合において、ユーザにとって特に必要な情報がないときは、小型ディスプレイ１０７をユーザの眼前からずらし、ユーザの視界を妨げることがないようにする。そして、ユーザにとって必要な情報が受信され、かつ、ユーザに情報を提示しても十分に安全なとき（例えば自動車が停止しているとき）のみ、小型ディスプレイ１０７を眼前に設置して、ユーザに情報を提示する。
すなわち、ここでは、小型ディスプレイを有するヘッドセットとして、前記小型ディスプレイを、装着者の眼前、または、装着者の眼前以外の位置に切替設置可能な駆動機構と、外部から情報を受信して、前記小型ディスプレイに出力する受信部と、前記受信部によって受信された情報に基づいて、前記駆動機構の動作を制御する駆動制御部とを備えたものが、示されている。
受信した情報がユーザにとって必要か否かは、例えば次のようにして判断すればよい。すなわち、ユーザの興味に関するキーワード、例えば「プロ野球」を予め駆動制御部６０５に登録しておく。そして、この「プロ野球」に関する情報を受信したとき、駆動機構６０４を動作させるように設定しておく。これにより、「プロ野球」以外のジャンルに関する情報、例えば経済ニュースやサッカーなどプロ野球以外のスポーツ情報を受信しても、駆動機構６０４は動作せず、ユーザに情報は提示されない。
また、図２５に示すように、小型ディスプレイ１０７が前後にスライドするように構成してもよい。これにより、頭の大きさの違うユーザが、容易に調整することができる。
（第７の実施形態）
上述の第１〜第３の実施形態では、外部からメールが着信したとき、その一部の情報を小型ディスプレイに表示するものとしたが、小型ディスプレイに表示する情報は、ＴＶ放送のニュース等のコンテンツであってもよい。この場合、ユーザは、そのコンテンツを見ることに集中するあまりに、周囲の状況の把握が遅れてしまう可能性がある。例えば、電車やバス等の交通機関で移動中に、眼前の小型ディスプレイでコンテンツを見ていた場合、そのコンテンツに集中しすぎて、目的の駅や停留所を乗り過ごしてしまう可能性が考えられる。本実施形態は、このような課題を解決するためになされたものである。
図２６は本実施形態に係る装着型情報告知装置の構成を示す機能ブロック図である。図２６において、ヘッドセット１２Ｆは、第２の情報受信部としての外部情報受信部７０１と、情報合成部７０２とを備えている。情報合成部７０２は、本体１１が有する第１の情報受信部としての情報受信部１０１によって受信された、例えばＴＶ放送番組のような第１の情報を、小型ディスプレイ１０７に表示させる。また、装着者が利用しているバスや電車などの交通機関の運行状態に関する第２の情報が外部情報受信部７０１によって受信されたとき、情報合成部７０２は、この第２の情報を第１の情報に合成して小型ディスプレイ１０７に表示させる。
例えば図２７に示すように、ニュース番組が表示されているときに、外部情報受信部７０１によって電車の駅の到着情報が取得されたときは、テロップ等を用いて情報を合成して表示する。これにより、ユーザは、小型ディスプレイ１０７の表示情報に集中しすぎて、電車のアナウンス等を聞き漏らしたとしても、小型ディスプレイ１０７でその内容を確認することができる。
また図２８に示すように、外部情報受信部７０１および情報合成部７０２を本体１１Ａに設けてもよい。
すなわち、ここでは、装着型情報告知装置として、小型ディスプレイが設けられており、装着者の眼前に前記小型ディスプレイを設置可能なヘッドセットと、外部と通信し、第１の情報を受信する第１の情報受信部と、外部と通信し、第２の情報を受信する第２の情報受信部と、前記第１の情報を前記小型ディスプレイに表示させるとともに、前記第２の情報が前記第２の情報受信部によって受信されたとき、この第２の情報を、前記第１の情報に合成して前記小型ディスプレイに表示させる情報合成部とを備えたものが、示されている。
そして、前記第１の情報は、ＴＶ放送番組であり、前記第２の情報は、前記装着者が利用している交通機関の運行状態に関する情報であるのが好ましい。
（第８の実施形態）
図１および図２では、ユーザの後頭部に支柱をまわすことによって、眼前に小型ディスプレイ１０７を固定していた。しかしながら、小型ディスプレイの設置手段はこれに限られるものではない。
図２９は小型ディスプレイ１０７にクリップのような固定手段８０１を装着した構成を示す。これにより、ユーザの場所や状況に応じて、小型ディスプレイ１０７を見やすい位置に設置することが可能になる。例えば、屋外では、帽子等のつばにつけることも可能である。そして、野球などの屋外スポーツを観戦するとき、通信機能本体に提供された情報をすべて提示するのではなく、例えば自分の応援するチームを予め設定しておくことによって、攻撃の場合には、打者に関する情報を表示し、守備の場合には、投手や野手に関する情報を表示する、といったことも可能になる。
また図１および図２に示すように、頭部の水平方向の支柱を用いて小型ディスプレイ１０７を固定することによって、左右いずれか片方の眼で情報を確認することができる。しかしながら、小型ディスプレイ１０７で提供される情報を長時間凝視していると、片方の眼に疲労がたまることがある。また、ユーザの顔が上下方向に動くと小型ディスプレイ１０７が上下方向にゆれ、情報が確認しずらくなる。
そこで、図３０に示すように、小型ディスプレイ１０７を頭部の垂直方向の支柱８０２を用いて固定する。これにより、小型ディスプレイ１０７で提供される情報を左右いずれの眼でも確認することができ、また、頭部の上下方向の運動に対して、小型ディスプレイ１０７のぶれを少なくすることが可能になる。
（第９の実施形態）
図３１は本発明の第９の実施形態に係るヘッドセットの外形図、図３２は図３１のヘッドセットを含む装着型情報告知装置をユーザが装着した状態を示す図である。図３１に示すヘッドセット９０は、人の頭部に、一方の側部から後部を経て他方の側部にかけて固定可能なカチューシャ形の基体９１と、基体９１の一方の端部に設けられたカメラ９２と、基体９１の他方の端部に設けられた小型ディスプレイ９３とを備えている。ユーザが基体９０を頭に固定してヘッドセット９０を装着したとき、カメラ９２はそのユーザの前方を撮影可能になり、小型ディスプレイ９３はユーザの眼前に設置される。９５は外部と通信して情報を受信する本体である。
また図３１のヘッドセット９０は左右両用に構成されている。すなわち、図３１のままで装着した場合には、小型ディスプレイ９３はユーザの左眼の前に設置され、上下を反転して装着した場合には、小型ディスプレイ９３はユーザの右眼の前に設置される。そして、ヘッドセット９０には、ヘッドセット９０の上下を検出するジャイロや水銀スイッチなどの上下検出部９４が設けられており、この上下検出部９４の検出結果から、小型ディスプレイ９３の画像の上下を判断することができる。このため、ユーザはヘッドセット９０の左右を特に意識することなく、装着することができる。
図３３は本実施形態に係る装着型情報告知装置の機能ブロック図である。図３３において、ヘッドセット９０に設けられた小型カメラ９２は、ユーザが向いている方の画像情報を取り込む。上下検出部９４はヘッドセット９０の上下を検出し、この検出結果を上下信号ＳＵＤとして出力する。この上下信号ＳＵＤは、小型カメラ９２の位置がユーザの右か左か、小型ディスプレイ９３の位置がユーザの左眼の前か右眼の前か、を表している。画像送信部９０１は小型カメラ９２によって撮影された画像信号に上下信号ＳＵＤを付加して送信する。
本体９５側では、画像受信部９０３が、画像送信部９０１から送信された，上下信号ＳＵＤが付加された画像信号を受信する。画像蓄積部９０４は、ユーザによる操作部９０２の操作に従い、受信した画像信号を蓄積する。このとき、上下信号ＳＵＤが表すヘッドセット９０の上下方向を加味して蓄積する。具体的には、ヘッドセット９０が上下反転して装着されていることを上下信号ＳＵＤが示すときは、画像信号を上下反転して蓄積する。画像送信部９０５は画像蓄積部９０４に蓄積された画像信号を送信する。画像信号を蓄積しない場合でも、上下信号ＳＵＤが示す上下方向を加味して画像信号を加工し、送信する。
ヘッドセット９０側では、画像受信部９０６が、画像送信部９０５から送信された画像信号を受信するとともに、上下検出部９４から上下信号ＳＵＤを受信する。そして、受信した画像信号の上下を、上下信号ＳＵＤに応じて設定し、小型ディスプレイ９３に表示させる。すなわち、ヘッドセット９０が上下反転して装着されていることを上下信号ＳＵＤが示すときは、受信した画像信号を上下反転して小型ディスプレイ９３に表示する。
このような構成によって、図３４に示すように、ヘッドセット９０の左右を逆に装着した場合でも、ユーザから見たとおりの画像が小型ディスプレイ９３に表示される。また、画像を蓄積する場合も、ユーザから見たとおりの画像を保存することが可能になる。
すなわち、ここでは、ヘッドセットとして、人の頭部に、一方の側部から後部を経て他方の側部にかけて固定可能なカチューシャ形の基体と、前記基体の一方の端部に設けられ、前記基体が頭に固定されたとき、前記人の前方を撮影可能なカメラと、前記基体の他方の端部に設けられ、前記基体が頭に固定されたとき、前記人の眼前に設置される小型ディスプレイとを備えたものが、示されている。
さらに、当該ヘッドセットの上下を検出し、この検出結果を上下信号として出力する上下検出部と、前記カメラによって撮影された画像信号に、前記上下検出部から出力された上下信号を付加して、外部に送る画像送信部と、外部から画像信号を受信し、この画像信号の上下を、前記上下検出部から出力された上下信号に応じて設定し、前記小型ディスプレイに表示させる画像受信部とを備えているのが、好ましい。
また、本実施形態に係るヘッドセットでは、小型ディスプレイ９３がユーザの視野の全てを妨げるようには設置されていない。このため、図３５に示すように、小型カメラ９２によって撮影した画像を小型ディスプレイ９３に表示することによって、ユーザは、周囲の状況を確認しつつ、撮影画像を確認することができる。従来、ムービー等で撮影する際には、液晶画面を見てカメラ方向を確認する作業と、周囲の状況を確認する作業とで、頭部の移動が伴うために、撮影画像にぶれが生じる場合が多い。これに対して、本実施形態に係るヘッドセットを用いて撮影を行えば、ユーザの視線を変更するだけで、撮影画像と周囲状況とを同時に確認することができ、したがって、撮影画像のぶれを軽減することが可能になる。
以上のように本発明によると、眼前に設置されたディスプレイにメールの到着や楽曲情報などを表示することによって、ハンズフリーで情報を確認することができ、複数の機器の情報を統一的に制御することができる。また、メールの着信機能をウエアラブルディスプレイで表示することによって、携帯電話をとりださなくてもメールの内容を簡単に確認することができ、対面している相手に気付かれることなく、瞬時にメールの着信を確認することができるし、受信したメールの重要度等の情報まで瞬時に確認することができる。
【図面の簡単な説明】
図１は本発明の第１の実施形態に係る装着型情報告知装置の外形図である。
図２は図１の装着型情報告知装置をユーザが装着した状態を示す図である。
図３は図１の装着型情報告知装置の機能ブロック図である。
図４は図１の装着型情報告知装置の動作を示すフローチャートである。
図５は第１の実施形態で得られたディスプレイの表示例である。
図６は本発明の第２の実施形態に係る装着型情報告知装置の外形図である。
図７は図６の装着型情報告知装置をユーザが装着した状態を示す図である。
図８は図６の装着型情報告知装置の機能ブロック図である。
図９は図６の装着型情報告知装置の動作を示すフローチャートである。
図１０は本発明の第３の実施形態に係る装着型情報告知装置の外形図である。
図１１は図１０の装着型情報告知装置をユーザが装着した状態を示す図である。
図１２は図１０の装着型情報告知装置の機能ブロック図である。
図１３は図１０の装着型情報告知装置の動作を示すフローチャートである。
図１４は本発明の第４の実施形態に係る装着型情報告知装置の外形図である。
図１５は図１４の装着型情報告知装置をユーザが装着した状態を示す図である。
図１６は図１４の装着型情報告知装置の機能ブロック図である。
図１７は図１４の装着型情報告知装置の動作を示すフローチャートである。
図１８は第４の実施形態で得られたディスプレイの表示例である。
図１９は本発明の第５の実施形態に係る装着型情報告知装置の機能ブロック図である。
図２０は本発明の第６の実施形態に係る装着型情報告知装置の機能ブロック図である。
図２１は図２０における表示制御部が記憶しているテーブルの例である。
図２２は本発明の第６の実施形態に係る装着型情報告知装置の他の例の機能ブロック図である。
図２３は駆動機構を備えたヘッドセットの外形図である。
図２４は図２３のヘッドセットを備えた装着型情報告知装置の機能ブロック図である。
図２５はスライド機構を備えたヘッドセットの外形図である。
図２６は本発明の第７の実施形態に係る装着型情報告知装置の構成を示す機能ブロック図である。
図２７は図２６の装着型情報告知装置における小型ディスプレイの表示例である。
図２８は本発明の第７の実施形態に係る装着型情報告知装置の他の例の機能ブロック図である。
図２９は本発明の第８の実施形態に係る，固定手段が装着された小型ディスプレイの外形図である。
図３０は本発明の第８の実施形態に係る，垂直方向の支柱を用いたヘッドセットの外形図である。
図３１は本発明の第９の実施形態に係るヘッドセットの外形図である。
図３２は図３１のヘッドセットを含む装着型情報告知装置をユーザが装着した状態を示す図である。
図３３は図３１のヘッドセットを含む装着型情報告知装置の機能ブロック図である。
図３４の図３３の装着型情報告知装置における小型ディスプレイの表示例である。
図３５を図３１のヘッドセットを用いた撮影状況を表す図である。
【図１】
2003046732.tif 000003
【図２】
2003046732.tif 000004
【図３】
2003046732.tif 000005
【図４】
2003046732.tif 000006
【図５】
2003046732.tif 000007
【図６】
2003046732.tif 000008
【図７】
2003046732.tif 000009
【図８】
2003046732.tif 000010
【図９】
2003046732.tif 000011
【図１０】
2003046732.tif 000012
【図１１】
2003046732.tif 000013
【図１２】
2003046732.tif 000014
【図１３】
2003046732.tif 000015
【図１４】
2003046732.tif 000016
【図１５】
2003046732.tif 000017
【図１６】
2003046732.tif 000018
【図１７】
2003046732.tif 000019
【図１８】
2003046732.tif 000020
【図１９】
2003046732.tif 000021
【図２０】
2003046732.tif 000022
【図２１】
2003046732.tif 000023
【図２２】
2003046732.tif 000024
【図２３】
2003046732.tif 000025
【図２４】
2003046732.tif 000026
【図２５】
2003046732.tif 000027
【図２６】
2003046732.tif 000028
【図２７】
2003046732.tif 000029
【図２８】
2003046732.tif 000030
【図２９】
2003046732.tif 000031
【図３０】
2003046732.tif 000032
【図３１】
2003046732.tif 000033
【図３２】
2003046732.tif 000034
【図３３】
2003046732.tif 000035
【図３４】
2003046732.tif 000036
【図３５】
2003046732.tif 000037
【手続補正書】
【提出日】平成15年9月10日(2003.9.10)
【手続補正１】
【補正対象書類名】特許請求の範囲
【補正対象項目名】全文
【補正方法】変更
【補正の内容】
【特許請求の範囲】
【請求項１】
小型ディスプレイが設けられており、装着者の眼前に前記小型ディスプレイを設置可能なヘッドセットと、
外部と通信し、情報を受信する情報受信部と、
前記情報受信部が受信した情報のうち、その一部を、前記小型ディスプレイに表示させるために抽出する情報抽出部とを備えた
ことを特徴とする装着型情報告知装置。
【請求項２】
請求項１において、
前記情報受信部が受信した情報を表示するためのディスプレイを備えた
ことを特徴とする装着型情報告知装置。
【請求項３】
請求項１において、
前記情報抽出部の出力を、無線によって送信する送信部と、
前記送信部の送信を受け、前記小型ディスプレイに出力する受信部とを有する
ことを特徴とする装着型情報告知装置。
【請求項４】
請求項１において、
前記情報抽出部は、前記情報受信部が受信した情報のうち、差出人に関する情報を抽出する
ことを特徴とする装着型情報告知装置。
【請求項５】
請求項１において、
前記情報抽出部は、前記情報受信部が受信した情報のうち、情報の重要度に関する情報を抽出する
ことを特徴とする装着型情報告知装置。
【請求項６】
請求項１において、
前記情報抽出部は、前記情報受信部が受信した情報のうち、その情報が含む文章から切り出したキーワードを抽出する
ことを特徴とする装着型情報告知装置。
【請求項７】
請求項４〜６のいずれか１項において、
前記情報抽出部は、抽出した情報に所定の色情報を付加して出力する
ことを特徴とする装着型情報告知装置。
【請求項８】
請求項２において、
前記情報抽出部は、前記情報受信部が受信した情報のうち、その情報中の文字列に関して設定された色分け情報を抽出する
ことを特徴とする装着型情報告知装置。
【請求項９】
請求項１において、
前記ヘッドセットは、イヤホンを備えており、
当該装着型情報告知装置は、前記情報抽出部から出力された情報に基づいて、前記イヤホンに音声信号を出力する音声告知部を備えている
ことを特徴とする装着型情報告知装置。
【請求項１０】
請求項１において、
前記ヘッドセットは、振動を与える振動部を備えており、
当該装着型情報告知装置は、前記情報抽出部から出力された情報に基づいて、前記振動部に振動信号を出力する振動告知部を備えている
ことを特徴とする装着型情報告知装置。
【請求項１１】
小型ディスプレイが設けられており、装着者の眼前に前記小型ディスプレイを設置可能なヘッドセットと、
情報を記憶した媒体を再生する情報再生部と、
前記情報再生部が再生した情報のうち、その一部を、前記小型ディスプレイに表示させるために抽出する情報抽出部とを有する
ことを特徴とする装着型情報告知装置。
【請求項１２】
請求項１において、
前記ヘッドセットは、与えられた制御信号に応じて、前記小型ディスプレイの表示方式を制御する表示制御部を備えている
ことを特徴とする装着型情報告知装置。
【請求項１３】
請求項１２において、
前記表示制御部は、前記小型ディスプレイの表示の明るさ、または、表示の有無を制御する
ことを特徴とする装着型情報告知装置。
【請求項１４】
請求項１２において、
前記ヘッドセット外部の環境状態を検出し、検出した環境状態に応じて、前記表示制御部に前記制御信号を与える環境検出部を備えた
ことを特徴とする装着型情報告知装置。
【請求項１５】
請求項１４において、
前記環境検出部は、前記環境状態として、周囲の明るさを検出する
ことを特徴とする装着型情報告知装置。
【請求項１６】
請求項１２において、
前記ヘッドセット外部の環境状態を示す環境情報を受け、受けた環境情報に応じて、前記表示制御部に前記制御信号を与える環境情報受信部を備えた
ことを特徴とする装着型情報告知装置。
【請求項１７】
請求項１６において、
前記環境情報受信部は、前記環境情報として、前記人が運転する車の速度を受ける
ことを特徴とする装着型情報告知装置。
【請求項１８】
請求項１において、
前記ヘッドセットは、
前記小型ディスプレイを、装着者の眼前、または、装着者の眼前以外の位置に切替設置可能な駆動機構と、
前記情報抽出部から出力された情報に基づいて、前記駆動機構の動作を制御する駆動制御部とを備えている
ことを特徴とする装着型情報告知装置。
【請求項１９】
請求項１８において、
前記ヘッドセット外部の環境状態を示す環境情報を受け、受けた環境情報を前記駆動制御部に与える環境情報受信部を備え、
前記駆動制御部は、前記環境情報を加味して、前記駆動機構の動作を制御する
ことを特徴とする装着型情報告知装置。
【手続補正２】
【補正対象書類名】明細書
【補正対象項目名】全文
【補正方法】変更
【補正の内容】
【発明の詳細な説明】
【技術分野】
【０００１】
本発明は、ユーザが装着可能に構成されており、メールの受信情報などの情報を、ユーザに負担をかけることなく通知することができる装着型情報告知装置に関する。
【背景技術】
【０００２】
近年、携帯端末を利用して、メールの送受信や電子新聞の配信等が、盛んに行われている。そして、現実世界で他人と会話を楽しんでいたり、業務上重要な会議を行っているときでも、携帯端末に情報が配信されると、着信音や震動によってユーザに通知される。通知を受けたユーザは、携帯端末を取り出して、配信された情報の内容を確認することができる。
【０００３】
しかしながら、会話の途中で着信音を聞いて携帯端末を取り出し、配信された情報内容を確認するといった行為は、会話の相手にしてみれば不愉快な場合がある。また、重要な会議の間に着信音が鳴ったとき、たとえ重要でないメールであってもその内容を確認するために携帯端末を取り出す必要があり、ユーザにとってわずらわしい。このわずらわしさを解消するために、発信元に応じて着信音を変更する手法があるが、内容を確認するためにはやはり携帯端末を取り出す必要があり、さほど有効ではない。
【０００４】
そこで、常時、眼の前に小型ディスプレイを設置して、メール等が着信したとき、その小型ディスプレイに情報を表示するといった方法が考えられる。これにより、他人に気づかれることなく、メールが着信したという情報を確認できる。
【０００５】
特許文献１では、小型ディスプレイが設けられたゴーグル型のヘッドセットが開示されている。また特許文献２では、受信した情報を、装着した小型ディスプレイに表示させる技術が開示されている。
【特許文献１】特開平１０−３２２６２４号公報
【特許文献２】特開２００１−１０１０９６号公報
【発明の開示】
【発明が解決しようとする課題】
【０００６】
ところが、常時、眼の前に設置しうるような小型ディスプレイは、通常、表示能力が劣っており、大量の情報を表示させるのには不向きである。また、実際に小型ディスプレイを利用した場合、人間の目の特性上、表示される情報を瞬時に判断することは難しい、という問題がある。
【０００７】
前記の問題に鑑み、本発明は、装着者の眼前に小型ディスプレイを設置可能なヘッドセットを備えた装着型情報告知装置において、受信した情報を、ユーザがその重要性を瞬時に判断し得るように提供可能にすることを課題とする。
【課題を解決するための手段】
【０００８】
本発明は、装着型情報告知装置として、小型ディスプレイが設けられており、装着者の眼前に前記小型ディスプレイを設置可能なヘッドセットと、外部と通信し、情報を受信する情報受信部と、前記情報受信部が受信した情報のうち、その一部を、前記小型ディスプレイに表示させるために抽出する情報抽出部とを備えたものである。
【０００９】
これにより、情報受信部が受信した情報のうち、情報抽出部によって抽出されたその一部が、装着者の眼前に設置された小型ディスプレイに表示される。したがって、ユーザは、他人に悟られることなく、情報の全部を確認する前に、瞬時に情報の内容を察知することができる。
【００１０】
そして、前記本発明に係る装着型情報告知装置は、前記情報受信部が受信した情報を表示するためのディスプレイを備えているのが好ましい。
【００１１】
また、前記本発明に係る装着型情報告知装置は、前記情報抽出部の出力を無線によって送信する送信部と、前記送信部の送信を受け、前記小型ディスプレイに出力する受信部とを有するのが好ましい。
【００１２】
また、前記本発明に係る装着型情報告知装置における情報抽出部は、前記情報受信部が受信した情報のうち、差出人に関する情報を抽出するのが好ましい。
【００１３】
また、前記本発明に係る装着型情報告知装置における情報抽出部は、前記情報受信部が受信した情報のうち、情報の重要度に関する情報を抽出するのが好ましい。
【００１４】
また、前記本発明に係る装着型情報告知装置における情報抽出部は、前記情報受信部が受信した情報のうち、その情報が含む文章から切り出したキーワードを抽出するのが好ましい。
【００１５】
さらに、前記情報抽出部は、抽出した情報に所定の色情報を付加して出力するのが好ましい。
【００１６】
また、前記本発明に係る装着型情報告知装置における情報抽出部は、前記情報受信部が受信した情報のうち、その情報中の文字列に関して設定された色分け情報を抽出するのが好ましい。
【００１７】
また、前記本発明に係る装着型情報告知装置において、前記ヘッドセットは、イヤホンを備えており、当該装着型情報告知装置は、前記情報抽出部から出力された情報に基づいて、前記イヤホンに音声信号を出力する音声告知部を備えているのが好ましい。
【００１８】
また、前記本発明に係る装着型情報告知装置において、前記ヘッドセットは、振動を与える振動部を備えており、当該装着型情報告知装置は、前記情報抽出部から出力された情報に基づいて、前記振動部に振動信号を出力する振動告知部を備えているのが好ましい。
【００１９】
また、前記本発明に係る装着型情報告知装置におけるヘッドセットは、与えられた制御信号に応じて、前記小型ディスプレイの表示方式を制御する表示制御部を備えているのが好ましい。
【００２０】
そして、前記表示制御部は、前記小型ディスプレイの表示の明るさ、または、表示の有無を制御するのが好ましい。
【００２１】
また、前記装着型情報告知装置は、前記ヘッドセット外部の環境状態を検出し、検出した環境状態に応じて、前記表示制御部に前記制御信号を与える環境検出部を備えているのが好ましい。さらに、前記環境検出部は、前記環境状態として、周囲の明るさを検出するのが好ましい。
【００２２】
また、前記装着型情報告知装置は、前記ヘッドセット外部の環境状態を示す環境情報を受け、受けた環境情報に応じて、前記表示制御部に前記制御信号を与える環境情報受信部を備えているのが好ましい。さらに、前記環境情報受信部は、前記環境情報として、前記人が運転する車の速度を受けるのが好ましい。
【００２３】
また、前記本発明に係る装着型情報告知装置におけるヘッドセットは、前記小型ディスプレイを、装着者の眼前、または、装着者の眼前以外の位置に切替設置可能な駆動機構と、前記情報抽出部から出力された情報に基づいて、前記駆動機構の動作を制御する駆動制御部とを備えているのが好ましい。
【００２４】
そして、前記装着型情報告知装置は、前記ヘッドセット外部の環境状態を示す環境情報を受け、受けた環境情報を前記駆動制御部に与える環境情報受信部を備え、前記駆動制御部は、前記環境情報を加味して、前記駆動機構の動作を制御するのが好ましい。
【００２５】
また、本発明は、装着型情報告知装置として、小型ディスプレイが設けられており、装着者の眼前に前記小型ディスプレイを設置可能なヘッドセットと、情報を記憶した媒体を再生する情報再生部と、前記情報再生部が再生した情報のうち、その一部を、前記小型ディスプレイに表示させるために抽出する情報抽出部とを有するものである。
【発明の効果】
【００２６】
本発明によると、眼前に設置されたディスプレイにメールの到着や楽曲情報などを表示することによって、ハンズフリーで情報を確認することができ、複数の機器の情報を統一的に制御することができる。また、メールの着信機能をウエアラブルディスプレイで表示することによって、携帯電話をとりださなくてもメールの内容を簡単に確認することができ、対面している相手に気付かれることなく、瞬時にメールの着信を確認することができるし、受信したメールの重要度等の情報まで瞬時に確認することができる。
【発明を実施するための最良の形態】
【００２７】
以下、本発明の実施の形態について、図面を参照して説明する。
【００２８】
（第１の実施形態）
図１は本発明の第１の実施形態に係る装着型情報告知装置の外形図である。図１において、１１は外部と通信して情報を受信する本体、１２はユーザが装着するヘッドセットである。本体１１は、携帯電話等と同様の大きさの大型ディスプレイ１０８を有する。ヘッドセット１２は、弾性を有するカチューシャによってユーザの頭部にほぼ水平に装着される形状となっていて、カチューシャの一端に小型ディスプレイ１０７を有する。
【００２９】
図２は図１の装着型情報告知装置をユーザが装着した状態を示す図であり、（ａ）は側面図、（ｂ）は正面図である。ヘッドセット１２を装着したとき、小型ディスプレイ１０７は装着者の眼前に、その視界に入るように設置される。本体１１は、ユーザのベルトやポケットなどに携帯される。
【００３０】
図３は図１の装着型情報告知装置の機能ブロック図である。図３において、１０１は外部と通信し、情報を受信する情報受信部、１０２は情報受信部を制御する制御部、１０３は制御部１０２の操作をユーザから受け付ける操作部、１０４は情報受信部１０１が受信した情報のうち、その一部を、小型ディスプレイ１０７に表示させるために抽出する情報抽出部、１０５は情報抽出部１０４が抽出した情報をヘッドセット１２に送信する送信部、１０６は本体１１からの情報を受信する受信部である。
【００３１】
以上のように構成された本実施形態に係る装着型情報告知装置について、図４のフローチャートを参照して、その動作を説明する。ここでは、情報受信部１０１は無線公衆網に接続されており、外部からの情報として電子メールを受信するものとする。
【００３２】
［ステップＳ１１］
操作部１０３は、小型ディスプレイ１０７に表示する項目に関する設定入力をユーザから受け付ける。ユーザが入力可能な項目は、表示するメール属性（「差出人」「件名」「重要度」「キーワード」）の選択、表示するメール属性の属性値の条件、メール属性の属性値と表示の文字色または背景色との関連付け、表示の点滅動作の有無である。例えば、ユーザは、メール属性として「キーワード」を表示し、「キーワード」に「Ｃ」が含まれる場合は文字を「赤色」で表示し、表示は「点滅動作」で表示させる、という内容を設定可能である。また、例えばある特定のユーザからのメールが届いた場合は「緑」という設定を行ったり、件名中や情報中に重要なキーワードが含まれるときには「青」という設定を行ったり、メールの送信者が重要度を設定したメールを受け取った場合には「黄」といった設定を行うことができるし、送信者が色を指定しても良い。
【００３３】
［ステップＳ１２］
制御部１０２は、ステップＳ１１での入力に基づき、情報受信部１０１に情報受信開始の指示を行い、情報抽出部１０４に情報抽出方法の指示を行う。
【００３４】
［ステップＳ１３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
【００３５】
［ステップＳ１４］
情報抽出部１０４は、ステップＳ１１での入力に基づき、情報受信部１０１が受信した情報から差出人、件名、重要度またはキーワードを切り出し、表示色や点滅の表示属性を加えた表示信号として送信部１０５に渡す。
【００３６】
［ステップＳ１５］
送信部１０５は、ステップＳ１４で抽出した表示信号を近距離無線を用いてヘッドセット１２に送信する。
【００３７】
［ステップＳ１６］
受信部１０６は、ステップＳ１５で送信された表示信号を、近距離無線を用いて受信する。
【００３８】
［ステップＳ１７］
受信部１０６は、ステップＳ１６で受信した表示信号を小型ディスプレイ１０７を通じて表示する。
【００３９】
［ステップＳ１８］
操作部１０３は、ステップＳ１３で受信し保管されているメールの大型ディスプレイ１０８への表示の指示入力をユーザから受け付ける。所定時間内に指示があったときはステップＳ１９に進む一方、所定時間内に指示がなかったときはステップＳ１３に戻る。
【００４０】
［ステップＳ１９］
制御部１０２は、ステップＳ１８での入力指示に基づき、情報受信部１０１に大型ディスプレイ１０８への表示の指示を行う。
【００４１】
［ステップＳ１Ａ］
情報受信部１０１は、ステップＳ１３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ１３に戻る。
【００４２】
図５は以上のような動作の結果得られた、小型ディスプレイ１０７と大型ディスプレイ１０８の表示例を示す。図５では、まず、メールの到着とユーザにより選択されたメール属性（「差出人」「件名」「重要度」「キーワード」のいずれか）が小型ディスプレイ１０７に表示される。以降、ユーザの操作によって、メールリストおよびメール本文が大型ディスプレイ１０８に表示される。また、小型ディスプレイに、色のみを表示させたり、点滅表示させたりしても良い。
【００４３】
以上のように本実施形態によると、装着者の眼前に設置されたディスプレイにメールの到着と内容の一部を表示することによって、本体を取り出さなくてもメールの着信を告知することができる。
【００４４】
また、色情報を用いることによって、ユーザは、小型ディスプレイを注視しなくても受け取ったメールの内容の概略を察知することができる。
【００４５】
また、例えば、大型ディスプレイで情報を閲覧中に、ユーザが重要な情報を読んでいるとき、小型ディスプレイにその情報の重要度を示す情報を提示する、といった用途も考えられる。すなわち、ユーザは大型ディスプレイを注視しているが、重要な情報に差し掛かったときに小型ディスプレイに色情報等を表示することによって、ユーザに、大型ディスプレイを注視させたまま、注意を促すことができる。
【００４６】
（第２の実施形態）
上述の第１の実施形態では、小型ディスプレイを用いて情報を告知するものとしたが、第２の実施形態では、さらにイヤホンを用いた音声によって情報を告知するものである。
【００４７】
図６は本実施形態に係る装着型情報告知装置の外形図、図７は図６の装着型情報告知装置をユーザが装着した状態を示す図、図８は図６の装着型情報告知装置の機能ブロック図である。第１の実施形態に係る図１〜図３と共通の構成要素には同一の符号を付しており、ここでは詳細な説明は省略する。第１の実施形態との相違点は、ヘッドセット１２Ａが、耳に装着するイヤホン２０１と、情報抽出部１０４から出力された情報に基づいて、イヤホン２０１に音声信号を出力する音声告知部２０２とを備えたことである。
【００４８】
以上のように構成された本実施形態に係る装着型情報告知装置について、図９のフローチャートを参照して、その動作を説明する。ここでも第１の実施形態と同様に、情報受信部１０１は無線公衆網に接続されており、外部からの情報として電子メールを受信するものとする。
【００４９】
［ステップＳ２１］
操作部１０３は、小型ディスプレイ１０７に表示する項目およびイヤホン２０１で再生する音声に関する設定入力をユーザから受け付ける。ユーザが入力可能な項目は、表示するメール属性（「差出人」「件名」「重要度」「キーワード」）の選択、表示するメール属性の属性値の条件、メール属性の属性値と表示の文字色あるいは背景色との関連付け、および表示の点滅動作の有無、さらに加えて、メール属性の属性値と音声との関連付け、音量または音量の遷移設定である。例えば、ユーザは、メール属性として「キーワード」を表示し、「キーワード」に「Ｃ」が含まれる場合は文字を「赤色」で表示し、表示は「点滅動作」で表示させ、「効果音Ｈ」を「徐々に拡大する音量で」再生するという内容を設定可能である。
【００５０】
［ステップＳ２２］
制御部１０２は、ステップＳ２１での入力に基づき、情報受信部１０１に情報受信開始の指示を行い、情報抽出部１０４に情報抽出方法の指示を行う。
【００５１】
［ステップＳ２３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
【００５２】
［ステップＳ２４］
情報抽出部１０４は、ステップＳ２１での入力に基づき、情報受信部１０１が受信した情報から差出人、件名、重要度またはキーワードを切り出し、表示色や点滅の表示属性を加えた表示信号として送信部１０５に渡す。また、本体１１に予め記憶されている複数の音声から、切り出した情報との関連付けを設定された音声を取り出し、再生信号として送信部１０５に渡す。
【００５３】
［ステップＳ２５］
送信部１０５は、ステップＳ２４で抽出した表示信号および再生信号を近距離無線を用いてヘッドセット１２に送信する。
【００５４】
［ステップＳ２６］
受信部１０６は、ステップＳ２５で送信された表示信号および再生信号を、近距離無線を用いて受信する。
【００５５】
［ステップＳ２７］
受信部１０６は、ステップＳ２６で受信した表示信号を小型ディスプレイ１０７を通じて表示する。また、再生信号を音声告知部２０２に渡す。
【００５６】
［ステップＳ２８］
音声告知部２０２は、再生信号をイヤホン２０１を通じて再生する。
【００５７】
［ステップＳ２９］
操作部１０３は、ステップＳ２３で受信し保管されているメールの大型ディスプレイ１０８への表示の指示入力をユーザから受け付ける。所定時間内に指示があったときはステップＳ２Ａに進む一方、所定時間内に指示がなかったときはステップＳ２３に戻る。
【００５８】
［ステップＳ２Ａ］
制御部１０２は、ステップＳ２９での入力に基づき、情報受信部１０１に大型ディスプレイ１０８への表示の指示を行う。
【００５９】
［ステップＳ２Ｂ］
情報受信部１０１は、ステップＳ２３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ２３に戻る。
【００６０】
以上のように本実施形態によると、ユーザの眼前に設置された小型ディスプレイにメールの到着と内容の一部を表示し、さらにイヤホンの音声によって告知することにより、小型ディスプレイの表示に気付かない場合でもメールの着信を確実に告知することができる。
【００６１】
（第３の実施形態）
上述の第２の実施形態では、小型ディスプレイでの表示に加えて音声を用いて情報を告知するものとしたが、第３の実施形態は、音声ではなく振動で情報を告知するものである。
【００６２】
図１０は本実施形態に係る装着型情報告知装置の外形図、図１１は図１０の装着型情報告知装置をユーザが装着した状態を示す図、図１２は図１０の装着型情報告知装置の機能ブロック図である。第１の実施形態に係る図１〜図３と共通の構成要素には同一の符号を付しており、ここでは詳細な説明は省略する。第１の実施形態との相違点は、ヘッドセット１２Ｂが、頭部に振動を与える振動部３０１と、情報抽出部１０４から出力された情報に基づいて、振動部３０１を振動信号によって駆動する振動告知部３０２とを備えたことである。
【００６３】
以上のように構成された本実施形態に係る装着型情報告知装置について、図１３のフローチャートを参照して、その動作を説明する。ここでも第１の実施形態と同様に、情報受信部１０１は無線公衆網に接続されており、外部からの情報として電子メールを受信するものとする。
【００６４】
［ステップＳ３１］
操作部１０３は、小型ディスプレイ１０７に表示する項目および振動部３０１での振動制御パターンに関する設定入力をユーザから受け付ける。ユーザが入力可能な項目は、表示するメール属性（「差出人」「件名」「重要度」「キーワード」）の選択、表示するメール属性の属性値の条件、メール属性の属性値と表示の文字色あるいは背景色との関連付け、および表示の点滅動作の有無、さらに加えて、メール属性の属性値と振動パターンとの関連付けである。例えば、ユーザは、メール属性として「キーワード」を表示し、「キーワード」に「Ｃ」が含まれる場合は文字を「赤色」で表示し、表示は「点滅動作」で表示させ、「振動パターンＪ」で振動させるという内容を設定可能である。
【００６５】
［ステップＳ３２］
制御部１０２は、ステップＳ３１での入力に基づき、情報受信部１０１に情報受信開始の指示を行い、情報抽出部１０４に情報抽出方法の指示を行う。
【００６６】
［ステップＳ３３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
【００６７】
［ステップＳ３４］
情報抽出部１０４は、ステップＳ３１での入力に基づき、情報受信部１０１が受信した情報から差出人、件名、重要度またはキーワードを切り出し、表示色や点滅の表示属性を加えた表示信号として送信部１０５に渡す。また、本体１１に予め記憶されている複数の振動パターンから、切り出した情報との関連付けを設定された振動パターンを取り出し、振動信号として送信部１０５に渡す。
【００６８】
［ステップＳ３５］
送信部１０５は、ステップＳ３４で抽出した表示信号および振動信号を近距離無線を用いてヘッドセット１２に送信する。
【００６９】
［ステップＳ３６］
受信部１０６は、ステップＳ３５で送信された表示信号および振動信号を近距離無線を用いて受信する。
【００７０】
［ステップＳ３７］
受信部１０６は、ステップＳ３６で受信した表示信号を小型ディスプレイ１０７を通じて表示する。また、振動信号を振動告知部３０２に渡す。
【００７１】
［ステップＳ３８］
振動告知部３０２は、振動信号により振動部３０１を振動駆動する。
【００７２】
［ステップＳ３９］
操作部１０３は、ステップＳ３３で受信し保管されているメールの大型ディスプレイ１０８への表示の指示入力をユーザから受け付ける。所定時間内に指示があったときはステップＳ３Ａに進む一方、所定時間内に指示がなかったときはステップＳ３３に戻る。
【００７３】
［ステップＳ３Ａ］
制御部１０２は、ステップＳ３９での入力に基づき、情報受信部１０１に大型ディスプレイ１０８への表示の指示を行う。
【００７４】
［ステップＳ３Ｂ］
情報受信部１０１は、ステップＳ３３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ３３に戻る。
【００７５】
以上のように本実施形態によると、ユーザの眼前に設置された小型ディスプレイにメールの到着と内容の一部を表示し、さらに頭部への振動によって告知することにより、音声による確認が困難な状況でもメールの着信を確実に告知することができる。
【００７６】
なお、第１〜第３の実施形態では、情報の受信は無線公衆網を用いたが、固定公衆網やテレビ放送ラジオ放送など他の方法でも良い。また、情報としてメールを受信するものとしたが、ニュースや番組表など他の情報でも良い。また、本体とヘッドセット間の通信は近距離無線を用いていたが、有線の通信や赤外線通信など他の通信手段でも良い。また、情報抽出部は本体側にあったが、ヘッドセット側にあっても良い。
【００７７】
（第４の実施形態）
上述の第１〜第３の実施形態では、外部からの情報を告知するものとしたが、第４の実施形態は、本体に挿入した媒体に記憶された情報を告知できるようにしたものである。
【００７８】
図１４は本実施形態に係る装着型情報告知装置の外形図である。図１４において、４１はＤＶＤなどの記録媒体４３から情報を読み出す本体、４２はユーザが装着するヘッドセットである。ヘッドセット４２は外観的には図６に示すヘッドセット１２Ａと同様に構成されており、弾性を有するカチューシャによってユーザの頭部にほぼ水平に装着される形状となっていて、カチューシャの一端に小型ディスプレイ４０７を有し、また、耳に装着するイヤホン４０９を有する。
【００７９】
図１５は図１４の装着型情報告知装置をユーザが装着した状態を示す図である。ヘッドセット４２を装着したとき、小型ディスプレイ４０７は装着者の眼前に、その視界に入るように設置される。本体４１は、ユーザのベルトやポケットなどに携帯される。
【００８０】
図１６は図１４の装着型情報告知装置の機能ブロック図である。図１６において、４０１は媒体４３に記憶されている情報を再生する媒体再生部、４０２は媒体再生部を制御する制御部、４０３は制御部の操作をユーザから受け付ける操作部、４０４は媒体再生部４０１が再生した情報をヘッドセット４２に送信する送信部、４０５は本体４１からの情報を受信する受信部、４０６は受信部４０５が受信した情報のうち、その一部を、小型ディスプレイ４０７に表示させるために抽出する情報抽出部、４０８は受信部４０５が受信した情報を音声に変換する音声変換部である。
【００８１】
以上のように構成された本実施形態に係る装着型情報告知装置について、図１７のフローチャートを参照して、その動作を説明する。ここでは、媒体再生部４０１はＳＤ（Secure Disk ）等に記録された音楽および楽曲データを再生するものとする。
【００８２】
［ステップＳ４１］
操作部４０３は、小型ディスプレイ４０７に表示する項目に関する設定入力をユーザから受け付ける。ユーザが入力可能な項目は、楽曲属性（「トラック番号」「アーティスト名」「曲名」「歌詞」）それぞれの表示の有無の選択である。また、操作部４０３は、再生の開始・停止などの制御操作をユーザから受け付ける。
【００８３】
［ステップＳ４２］
制御部４０２は、ステップＳ４１での入力に基づき、媒体再生部４０１に再生開始の指示を行う。
【００８４】
［ステップＳ４３］
送信部４０４は、ステップＳ４２で再生した情報を近距離無線を用いてヘッドセット４２に送信する。
【００８５】
［ステップＳ４４］
受信部４０５は、ステップＳ４３で送信した情報を近距離無線を用いて受信する。
【００８６】
［ステップＳ４５］
受信部４０５は、ステップＳ４４で受信した情報を情報抽出部４０６と音声変換部４０８に渡す。
【００８７】
［ステップＳ４６］
情報抽出部４０６は、ステップＳ４４で受信した情報から表示情報を取り出し、小型ディスプレイ４０７を通じて表示する。図１８は小型ディスプレイ１０７での表示の例である。
【００８８】
［ステップＳ４７］
音声変換部４０８は、ステップＳ４４で受信した情報から音声情報を取り出し、音声信号に変換し、イヤホン４０９を通じて再生する。
【００８９】
以上のように本実施形態によると、眼前に設置された小型ディスプレイに、媒体に記憶された情報の一部を表示することによって、ユーザが、媒体を再生させたときの付加情報を簡単に確認することができる。
【００９０】
なお、本実施形態では、本体とヘッドセット間の通信は近距離無線を用いていたが、有線の通信や赤外線通信など他の通信手段を用いてもよい。
【００９１】
（第５の実施形態）
本発明の第５の実施形態は、複数の機器から受けた情報を受信側の機器で選択的に表示するものである。図１９は本実施形態に係る装着型情報告知装置の機能ブロック図である。図１９において、図３および図１６と共通の構成要素には同一の符号を付しており、ここではその詳細な説明を省略する。ヘッドセット５２において、５０５は本体１１，４１からの情報を受信する受信部、５０６は受信部５０５が受信した情報から表示または再生する情報を選択する情報選択部、５０８は受信部５０５が受信した情報を音声に変換する音声変換部、５０７は情報を表示する小型ディスプレイ、５０９は音声を再生するイヤホンである。
【００９２】
以上のように構成された本実施形態に係る装着型情報告知装置の動作について、説明する。音楽再生とその楽曲情報の表示については、上述の第４の実施形態と同様である。さらに、音楽を再生中に緊急のメール等が情報受信部１０１に着信したとする。このとき、着信したメールから情報抽出部１０４で予め設定されていた情報が抽出され、送信部１０５を介して受信部５０５で受信される。受信部５０５で受信されたメールは、音楽再生に対してメール受信を優先するように設定されていた場合は、情報選択部５０６においてメール内容が選択され、楽曲情報が表示されている小型ディスプレイの内容が変更され、メールの内容が表示される。後の処理の流れは、第１の実施形態と同様なので、説明を省略する。
【００９３】
これにより、複数の機器からの情報を選択的に小型ディスプレイに統合表示することができる。ユーザは、情報の優先度を設定しておけば、一個のディスプレイで複数の機器の制御や状態確認を行うことができる。
【００９４】
なお、本実施の形態では、本体とヘッドセット間の通信は近距離無線を用いていたが、有線の通信や赤外線通信など他の通信手段を用いても良い。
【００９５】
（第６の実施形態）
上述の各実施形態では、小型ディスプレイはユーザの眼前に設置されているため、突然、情報を表示すると、ユーザが驚き困惑する場合がある。例えば、ヘッドセットを装着して車を運転しているユーザに対して、メール等の着信の通知を小型ディスプレイにいきなり表示すると、安全性の面で問題がある。また、映画館や博物館等の公共施設のように周囲が暗い場所では、ユーザの眼も周囲の状況に合わせているが、このとき、眼前に設置された小型ディスプレイにいきなり明るい輝度で情報が表示されても、ユーザが情報を確認することは困難である。本発明の第６の実施形態は、このような課題を解決するものである。
【００９６】
図２０は本実施形態に係る装着型情報告知装置の機能ブロック図であり、図３と共通の構成要素には同一の符号を付しており、ここではその詳細な説明を省略する。第１の実施形態と異なるのは、ヘッドセット１２Ｃが、与えられた制御信号に応じて小型ディスプレイ１０７の表示方式を制御する表示制御部６０１と、ヘッドセット１２Ｃ外部の環境状態を検出し、検出した環境状態に応じて表示制御部６０１に制御信号を与える環境検出部６０２とを備えている点である。
【００９７】
ここでは、環境検出部６０２は、ヘッドセット１２Ｃ外部の明るさを検出するものとする。そして表示制御部６０１は、環境検出部６０２によって検出された明るさに応じて、小型ディスプレイ１０７の表示の明るさを制御する。例えば表示制御部６０１は図２１のようなテーブルを予め記憶しており、環境検出部６０２によって検出された外部環境の明るさに応じて、小型ディスプレイ１０７の表示方式を選択する。これ以外の動作は、第１の実施形態と同様である。
【００９８】
これにより、周囲が暗い場合は、その暗さに合わせて情報が表示され、明るい場合は、それに合わせて情報が表示される。これにより、ユーザは、眼球に負担をかけることなく、情報を確認することが可能になる。
【００９９】
なお、環境検出部６０２は、本体１１側に設けてもよい。
【０１００】
また、明るさ以外の環境状態を検出するようにしてもよい。例えば、環境検出部６０２によって、周囲の騒音を検出するようにしてもよい。一般に、ユーザは、外部騒音が大きい場合には、外部からの情報に対して気づきにくい傾向がある。そこで、外部騒音が大きいときは、情報をユーザにより確実に知らせるために、通常よりも明るく表示したり、提示する画面をブリンクさせたりする。
【０１０１】
また、環境検出部６０２によってユーザ本人の声が多く検出されたときは、ユーザは誰かと会話していると判断して、情報提示のタイミングを遅らせてもよい。これにより、ユーザと他人との交流を妨げることなく、小型ディスプレイに情報を提示することが可能になる。
【０１０２】
また、環境検出部６０２においてジャイロ等によって振動を検出し、その振動パターンからユーザが歩行中または走行中と判断したときは、情報提示のタイミングを遅らせるようにしてもよい。
【０１０３】
また、図２０の構成では、環境検出部６０２をヘッドセットに設けていたが、この代わりに、当該装着型情報告知装置の外部にある環境検出手段によって検出された環境情報を、無線または有線のネットワークを介して受信し、これに応じて小型ディスプレイ１０７の表示方式を制御してもよい。図２２はこのような構成を示す図であり、図２０の環境検出部６０２の代わりに、外部から環境情報を受け、受けた環境情報に応じて表示制御部６０１に制御信号を与える環境情報受信部６０３が設けられている。
【０１０４】
ここでは、ユーザが自動車を運転中であり、環境情報受信部６０３は環境情報として、現在の車の速度を自動車のセンサから受信するものとする。そして、第１の実施形態におけるステップＳ１７において、表示制御部６０１は、車が移動中のときは、小型ディスプレイ１０７の表示を行わないようにし、車の速度がゼロまたは十分に遅くなったときに、小型ディスプレイ１０７での表示を行う。これにより、小型ディスプレイ１０７に表示がなされるのは、車の速度が遅くなり、十分に安全なことが確認されたときに限られるので、安全面で問題が生じることはない。。
【０１０５】
また、車の速度だけでなく、例えば、サイドブレーキをかけたことや、エンジンを停止させたことを検出することにより、そのタイミングで情報を表示することもできる。
【０１０６】
また、ＧＰＳ等の情報やジャイロの情報を利用することにより、例えば、ユーザが移動中（運転中や歩行中）の場合には、小型ディスプレイに表示する情報を制限することもできる。
【０１０７】
また、図２３に示すように、例えば小型モータのような駆動機構６０４を設けて、小型ディスプレイ１０７が、装着者の眼前に設置されるか、または、装着者の眼前以外の位置に設置されるかを切り替え可能にしてもよい。これにより、例えば、ユーザにとって必要な情報があるときだけ、眼前に小型ディスプレイ１０７を設置し、ユーザにとって必要な情報がないときは、ユーザの視野から小型ディスプレイ１０７を外して、日常生活においてユーザの視野を妨げないようにすることができる。
【０１０８】
図２４はこの場合の装着型情報告知装置の機能ブロック図である。図２４の構成では、ヘッドセット１２Ｅは、情報抽出部１０４から出力され受信部１０６によって受信された情報に基づいて、駆動機構６０４の動作を制御する駆動制御部６０５を備えている。また駆動制御部６０５は、環境情報受信部６０３によって受信された環境情報を加味して、駆動機構６０４の動作を制御する。
【０１０９】
具体的には駆動制御部６０５は、例えば、ユーザにとって必要な情報が受信され、かつ、ユーザに情報を提示しても十分に安全な場合にのみ、駆動機構６０４を駆動して、小型ディスプレイ１０７をユーザの眼前に設置する。すなわち、ユーザが自動車等を運転している場合において、ユーザにとって特に必要な情報がないときは、小型ディスプレイ１０７をユーザの眼前からずらし、ユーザの視界を妨げることがないようにする。そして、ユーザにとって必要な情報が受信され、かつ、ユーザに情報を提示しても十分に安全なとき（例えば自動車が停止しているとき）のみ、小型ディスプレイ１０７を眼前に設置して、ユーザに情報を提示する。
【０１１０】
すなわち、ここでは、小型ディスプレイを有するヘッドセットとして、前記小型ディスプレイを、装着者の眼前、または、装着者の眼前以外の位置に切替設置可能な駆動機構と、外部から情報を受信して、前記小型ディスプレイに出力する受信部と、前記受信部によって受信された情報に基づいて、前記駆動機構の動作を制御する駆動制御部とを備えたものが、示されている。
【０１１１】
受信した情報がユーザにとって必要か否かは、例えば次のようにして判断すればよい。すなわち、ユーザの興味に関するキーワード、例えば「プロ野球」を予め駆動制御部６０５に登録しておく。そして、この「プロ野球」に関する情報を受信したとき、駆動機構６０４を動作させるように設定しておく。これにより、「プロ野球」以外のジャンルに関する情報、例えば経済ニュースやサッカーなどプロ野球以外のスポーツ情報を受信しても、駆動機構６０４は動作せず、ユーザに情報は提示されない。
【０１１２】
また、図２５に示すように、小型ディスプレイ１０７が前後にスライドするように構成してもよい。これにより、頭の大きさの違うユーザが、容易に調整することができる。
【０１１３】
（第７の実施形態）
上述の第１〜第３の実施形態では、外部からメールが着信したとき、その一部の情報を小型ディスプレイに表示するものとしたが、小型ディスプレイに表示する情報は、ＴＶ放送のニュース等のコンテンツであってもよい。この場合、ユーザは、そのコンテンツを見ることに集中するあまりに、周囲の状況の把握が遅れてしまう可能性がある。例えば、電車やバス等の交通機関で移動中に、眼前の小型ディスプレイでコンテンツを見ていた場合、そのコンテンツに集中しすぎて、目的の駅や停留所を乗り過ごしてしまう可能性が考えられる。本実施形態は、このような課題を解決するためになされたものである。
【０１１４】
図２６は本実施形態に係る装着型情報告知装置の構成を示す機能ブロック図である。図２６において、ヘッドセット１２Ｆは、第２の情報受信部としての外部情報受信部７０１と、情報合成部７０２とを備えている。情報合成部７０２は、本体１１が有する第１の情報受信部としての情報受信部１０１によって受信された、例えばＴＶ放送番組のような第１の情報を、小型ディスプレイ１０７に表示させる。また、装着者が利用しているバスや電車などの交通機関の運行状態に関する第２の情報が外部情報受信部７０１によって受信されたとき、情報合成部７０２は、この第２の情報を第１の情報に合成して小型ディスプレイ１０７に表示させる。
【０１１５】
例えば図２７に示すように、ニュース番組が表示されているときに、外部情報受信部７０１によって電車の駅の到着情報が取得されたときは、テロップ等を用いて情報を合成して表示する。これにより、ユーザは、小型ディスプレイ１０７の表示情報に集中しすぎて、電車のアナウンス等を聞き漏らしたとしても、小型ディスプレイ１０７でその内容を確認することができる。
【０１１６】
また図２８に示すように、外部情報受信部７０１および情報合成部７０２を本体１１Ａに設けてもよい。
【０１１７】
すなわち、ここでは、装着型情報告知装置として、小型ディスプレイが設けられており、装着者の眼前に前記小型ディスプレイを設置可能なヘッドセットと、外部と通信し、第１の情報を受信する第１の情報受信部と、外部と通信し、第２の情報を受信する第２の情報受信部と、前記第１の情報を前記小型ディスプレイに表示させるとともに、前記第２の情報が前記第２の情報受信部によって受信されたとき、この第２の情報を、前記第１の情報に合成して前記小型ディスプレイに表示させる情報合成部とを備えたものが、示されている。
【０１１８】
そして、前記第１の情報は、ＴＶ放送番組であり、前記第２の情報は、前記装着者が利用している交通機関の運行状態に関する情報であるのが好ましい。
【０１１９】
（第８の実施形態）
図１および図２では、ユーザの後頭部に支柱をまわすことによって、眼前に小型ディスプレイ１０７を固定していた。しかしながら、小型ディスプレイの設置手段はこれに限られるものではない。
【０１２０】
図２９は小型ディスプレイ１０７にクリップのような固定手段８０１を装着した構成を示す。これにより、ユーザの場所や状況に応じて、小型ディスプレイ１０７を見やすい位置に設置することが可能になる。例えば、屋外では、帽子等のつばにつけることも可能である。そして、野球などの屋外スポーツを観戦するとき、通信機能本体に提供された情報をすべて提示するのではなく、例えば自分の応援するチームを予め設定しておくことによって、攻撃の場合には、打者に関する情報を表示し、守備の場合には、投手や野手に関する情報を表示する、といったことも可能になる。
【０１２１】
また図１および図２に示すように、頭部の水平方向の支柱を用いて小型ディスプレイ１０７を固定することによって、左右いずれか片方の眼で情報を確認することができる。しかしながら、小型ディスプレイ１０７で提供される情報を長時間凝視していると、片方の眼に疲労がたまることがある。また、ユーザの顔が上下方向に動くと小型ディスプレイ１０７が上下方向にゆれ、情報が確認しずらくなる。
【０１２２】
そこで、図３０に示すように、小型ディスプレイ１０７を頭部の垂直方向の支柱８０２を用いて固定する。これにより、小型ディスプレイ１０７で提供される情報を左右いずれの眼でも確認することができ、また、頭部の上下方向の運動に対して、小型ディスプレイ１０７のぶれを少なくすることが可能になる。
【０１２３】
（第９の実施形態）
図３１は本発明の第９の実施形態に係るヘッドセットの外形図、図３２は図３１のヘッドセットを含む装着型情報告知装置をユーザが装着した状態を示す図である。図３１に示すヘッドセット９０は、人の頭部に、一方の側部から後部を経て他方の側部にかけて固定可能なカチューシャ形の基体９１と、基体９１の一方の端部に設けられたカメラ９２と、基体９１の他方の端部に設けられた小型ディスプレイ９３とを備えている。ユーザが基体９０を頭に固定してヘッドセット９０を装着したとき、カメラ９２はそのユーザの前方を撮影可能になり、小型ディスプレイ９３はユーザの眼前に設置される。９５は外部と通信して情報を受信する本体である。
【０１２４】
また図３１のヘッドセット９０は左右両用に構成されている。すなわち、図３１のままで装着した場合には、小型ディスプレイ９３はユーザの左眼の前に設置され、上下を反転して装着した場合には、小型ディスプレイ９３はユーザの右眼の前に設置される。そして、ヘッドセット９０には、ヘッドセット９０の上下を検出するジャイロや水銀スイッチなどの上下検出部９４が設けられており、この上下検出部９４の検出結果から、小型ディスプレイ９３の画像の上下を判断することができる。このため、ユーザはヘッドセット９０の左右を特に意識することなく、装着することができる。
【０１２５】
図３３は本実施形態に係る装着型情報告知装置の機能ブロック図である。図３３において、ヘッドセット９０に設けられた小型カメラ９２は、ユーザが向いている方の画像情報を取り込む。上下検出部９４はヘッドセット９０の上下を検出し、この検出結果を上下信号ＳＵＤとして出力する。この上下信号ＳＵＤは、小型カメラ９２の位置がユーザの右か左か、小型ディスプレイ９３の位置がユーザの左眼の前か右眼の前か、を表している。画像送信部９０１は小型カメラ９２によって撮影された画像信号に上下信号ＳＵＤを付加して送信する。
【０１２６】
本体９５側では、画像受信部９０３が、画像送信部９０１から送信された，上下信号ＳＵＤが付加された画像信号を受信する。画像蓄積部９０４は、ユーザによる操作部９０２の操作に従い、受信した画像信号を蓄積する。このとき、上下信号ＳＵＤが表すヘッドセット９０の上下方向を加味して蓄積する。具体的には、ヘッドセット９０が上下反転して装着されていることを上下信号ＳＵＤが示すときは、画像信号を上下反転して蓄積する。画像送信部９０５は画像蓄積部９０４に蓄積された画像信号を送信する。画像信号を蓄積しない場合でも、上下信号ＳＵＤが示す上下方向を加味して画像信号を加工し、送信する。
【０１２７】
ヘッドセット９０側では、画像受信部９０６が、画像送信部９０５から送信された画像信号を受信するとともに、上下検出部９４から上下信号ＳＵＤを受信する。そして、受信した画像信号の上下を、上下信号ＳＵＤに応じて設定し、小型ディスプレイ９３に表示させる。すなわち、ヘッドセット９０が上下反転して装着されていることを上下信号ＳＵＤが示すときは、受信した画像信号を上下反転して小型ディスプレイ９３に表示する。
【０１２８】
このような構成によって、図３４に示すように、ヘッドセット９０の左右を逆に装着した場合でも、ユーザから見たとおりの画像が小型ディスプレイ９３に表示される。また、画像を蓄積する場合も、ユーザから見たとおりの画像を保存することが可能になる。
【０１２９】
すなわち、ここでは、ヘッドセットとして、人の頭部に、一方の側部から後部を経て他方の側部にかけて固定可能なカチューシャ形の基体と、前記基体の一方の端部に設けられ、前記基体が頭に固定されたとき、前記人の前方を撮影可能なカメラと、前記基体の他方の端部に設けられ、前記基体が頭に固定されたとき、前記人の眼前に設置される小型ディスプレイとを備えたものが、示されている。
【０１３０】
さらに、当該ヘッドセットの上下を検出し、この検出結果を上下信号として出力する上下検出部と、前記カメラによって撮影された画像信号に、前記上下検出部から出力された上下信号を付加して、外部に送る画像送信部と、外部から画像信号を受信し、この画像信号の上下を、前記上下検出部から出力された上下信号に応じて設定し、前記小型ディスプレイに表示させる画像受信部とを備えているのが、好ましい。
【０１３１】
また、本実施形態に係るヘッドセットでは、小型ディスプレイ９３がユーザの視野の全てを妨げるようには設置されていない。このため、図３５に示すように、小型カメラ９２によって撮影した画像を小型ディスプレイ９３に表示することによって、ユーザは、周囲の状況を確認しつつ、撮影画像を確認することができる。従来、ムービー等で撮影する際には、液晶画面を見てカメラ方向を確認する作業と、周囲の状況を確認する作業とで、頭部の移動が伴うために、撮影画像にぶれが生じる場合が多い。これに対して、本実施形態に係るヘッドセットを用いて撮影を行えば、ユーザの視線を変更するだけで、撮影画像と周囲状況とを同時に確認することができ、したがって、撮影画像のぶれを軽減することが可能になる。
【図面の簡単な説明】
【０１３２】
【図１】本発明の第１の実施形態に係る装着型情報告知装置の外形図である。
【図２】図１の装着型情報告知装置をユーザが装着した状態を示す図である。
【図３】図１の装着型情報告知装置の機能ブロック図である。
【図４】図１の装着型情報告知装置の動作を示すフローチャートである。
【図５】第１の実施形態で得られたディスプレイの表示例である。
【図６】本発明の第２の実施形態に係る装着型情報告知装置の外形図である。
【図７】図６の装着型情報告知装置をユーザが装着した状態を示す図である。
【図８】図６の装着型情報告知装置の機能ブロック図である。
【図９】図６の装着型情報告知装置の動作を示すフローチャートである。
【図１０】本発明の第３の実施形態に係る装着型情報告知装置の外形図である。
【図１１】図１０の装着型情報告知装置をユーザが装着した状態を示す図である。
【図１２】図１０の装着型情報告知装置の機能ブロック図である。
【図１３】図１０の装着型情報告知装置の動作を示すフローチャートである。
【図１４】本発明の第４の実施形態に係る装着型情報告知装置の外形図である。
【図１５】図１４の装着型情報告知装置をユーザが装着した状態を示す図である。
【図１６】図１４の装着型情報告知装置の機能ブロック図である。
【図１７】図１４の装着型情報告知装置の動作を示すフローチャートである。
【図１８】第４の実施形態で得られたディスプレイの表示例である。
【図１９】本発明の第５の実施形態に係る装着型情報告知装置の機能ブロック図である。
【図２０】本発明の第６の実施形態に係る装着型情報告知装置の機能ブロック図である。
【図２１】図２０における表示制御部が記憶しているテーブルの例である。
【図２２】本発明の第６の実施形態に係る装着型情報告知装置の他の例の機能ブロック図である。
【図２３】駆動機構を備えたヘッドセットの外形図である。
【図２４】図２３のヘッドセットを備えた装着型情報告知装置の機能ブロック図である。
【図２５】スライド機構を備えたヘッドセットの外形図である。
【図２６】本発明の第７の実施形態に係る装着型情報告知装置の構成を示す機能ブロック図である。
【図２７】図２６の装着型情報告知装置における小型ディスプレイの表示例である。
【図２８】本発明の第７の実施形態に係る装着型情報告知装置の他の例の機能ブロック図である。
【図２９】本発明の第８の実施形態に係る，固定手段が装着された小型ディスプレイの外形図である。
【図３０】本発明の第８の実施形態に係る，垂直方向の支柱を用いたヘッドセットの外形図である。
【図３１】本発明の第９の実施形態に係るヘッドセットの外形図である。
【図３２】図３１のヘッドセットを含む装着型情報告知装置をユーザが装着した状態を示す図である。
【図３３】図３１のヘッドセットを含む装着型情報告知装置の機能ブロック図である。
【図３４】図３３の装着型情報告知装置における小型ディスプレイの表示例である。
【図３５】図３１のヘッドセットを用いた撮影状況を表す図である。
【手続補正３】
【補正対象書類名】図面
【補正対象項目名】全図
【補正方法】変更
【補正の内容】
【図１】
2003046732.tif 000038
【図２】
2003046732.tif 000039
【図３】
2003046732.tif 000040
【図４】
2003046732.tif 000041
【図５】
2003046732.tif 000042
【図６】
2003046732.tif 000043
【図７】
2003046732.tif 000044
【図８】
2003046732.tif 000045
【図９】
2003046732.tif 000046
【図１０】
2003046732.tif 000047
【図１１】
2003046732.tif 000048
【図１２】
2003046732.tif 000049
【図１３】
2003046732.tif 000050
【図１４】
2003046732.tif 000051
【図１５】
2003046732.tif 000052
【図１６】
2003046732.tif 000053
【図１７】
2003046732.tif 000054
【図１８】
2003046732.tif 000055
【図１９】
2003046732.tif 000056
【図２０】
2003046732.tif 000057
【図２１】
2003046732.tif 000058
【図２２】
2003046732.tif 000059
【図２３】
2003046732.tif 000060
【図２４】
2003046732.tif 000061
【図２５】
2003046732.tif 000062
【図２６】
2003046732.tif 000063
【図２７】
2003046732.tif 000064
【図２８】
2003046732.tif 000065
【図２９】
2003046732.tif 000066
【図３０】
2003046732.tif 000067
【図３１】
2003046732.tif 000068
【図３２】
2003046732.tif 000069
【図３３】
2003046732.tif 000070
【図３４】
2003046732.tif 000071
【図３５】
2003046732.tif 000072
【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
小型ディスプレイが設けられており、装着者の眼前に前記小型ディスプレイを設置可能なヘッドセットと、
外部と通信し、情報を受信する情報受信部と、
前記情報受信部が受信した情報のうち、その一部を、前記小型ディスプレイに表示させるために抽出する情報抽出部とを備え、
前記ヘッドセットは、
前記小型ディスプレイを、装着者の眼前、または、装着者の眼前以外の位置に切替設置可能な駆動機構と、
前記情報抽出部から出力された情報に基づいて、前記駆動機構の動作を制御する駆動制御部とを備えている
ことを特徴とする装着型情報告知装置。
【請求項２】
請求項１において、
前記ヘッドセット外部の環境状態を示す環境情報を受け、受けた環境情報を前記駆動制御部に与える環境情報受信部を備え、
前記駆動制御部は、前記環境情報を加味して、前記駆動機構の動作を制御する
ことを特徴とする装着型情報告知装置。
【手続補正２】
【補正対象書類名】明細書
【補正対象項目名】全文
【補正方法】変更
【補正の内容】
【発明の詳細な説明】
【技術分野】
【０００１】
本発明は、ユーザが装着可能に構成されており、メールの受信情報などの情報を、ユーザに負担をかけることなく通知することができる装着型情報告知装置に関する。
【背景技術】
【０００２】
近年、携帯端末を利用して、メールの送受信や電子新聞の配信等が、盛んに行われている。そして、現実世界で他人と会話を楽しんでいたり、業務上重要な会議を行っているときでも、携帯端末に情報が配信されると、着信音や震動によってユーザに通知される。通知を受けたユーザは、携帯端末を取り出して、配信された情報の内容を確認することができる。
【０００３】
しかしながら、会話の途中で着信音を聞いて携帯端末を取り出し、配信された情報内容を確認するといった行為は、会話の相手にしてみれば不愉快な場合がある。また、重要な会議の間に着信音が鳴ったとき、たとえ重要でないメールであってもその内容を確認するために携帯端末を取り出す必要があり、ユーザにとってわずらわしい。このわずらわしさを解消するために、発信元に応じて着信音を変更する手法があるが、内容を確認するためにはやはり携帯端末を取り出す必要があり、さほど有効ではない。
【０００４】
そこで、常時、眼の前に小型ディスプレイを設置して、メール等が着信したとき、その小型ディスプレイに情報を表示するといった方法が考えられる。これにより、他人に気づかれることなく、メールが着信したという情報を確認できる。
【０００５】
特許文献１では、小型ディスプレイが設けられたゴーグル型のヘッドセットが開示されている。また特許文献２では、受信した情報を、装着した小型ディスプレイに表示させる技術が開示されている。
【特許文献１】特開平１０−３２２６２４号公報
【特許文献２】特開２００１−１０１０９６号公報
【発明の開示】
【発明が解決しようとする課題】
【０００６】
ところが、常時、眼の前に設置しうるような小型ディスプレイは、通常、表示能力が劣っており、大量の情報を表示させるのには不向きである。また、実際に小型ディスプレイを利用した場合、人間の目の特性上、表示される情報を瞬時に判断することは難しい、という問題がある。
【０００７】
前記の問題に鑑み、本発明は、装着者の眼前に小型ディスプレイを設置可能なヘッドセットを備えた装着型情報告知装置において、受信した情報を、ユーザがその重要性を瞬時に判断し得るように提供可能にすることを課題とする。
【課題を解決するための手段】
【０００８】
本発明は、装着型情報告知装置として、小型ディスプレイが設けられており、装着者の眼前に前記小型ディスプレイを設置可能なヘッドセットと、外部と通信し、情報を受信する情報受信部と、前記情報受信部が受信した情報のうち、その一部を、前記小型ディスプレイに表示させるために抽出する情報抽出部とを備えたものである。
【０００９】
これにより、情報受信部が受信した情報のうち、情報抽出部によって抽出されたその一部が、装着者の眼前に設置された小型ディスプレイに表示される。したがって、ユーザは、他人に悟られることなく、情報の全部を確認する前に、瞬時に情報の内容を察知することができる。
【００１０】
そして、前記ヘッドセットは、前記小型ディスプレイを、装着者の眼前、または、装着者の眼前以外の位置に切替設置可能な駆動機構と、前記情報抽出部から出力された情報に基づいて、前記駆動機構の動作を制御する駆動制御部とを備えている。
【００１１】
また、前記装着型情報告知装置は、前記ヘッドセット外部の環境状態を示す環境情報を受け、受けた環境情報を前記駆動制御部に与える環境情報受信部を備え、前記駆動制御部は、前記環境情報を加味して、前記駆動機構の動作を制御するのが好ましい。
【発明の効果】
【００１２】
本発明によると、眼前に設置されたディスプレイにメールの到着や楽曲情報などを表示することによって、ハンズフリーで情報を確認することができ、複数の機器の情報を統一的に制御することができる。また、メールの着信機能をウエアラブルディスプレイで表示することによって、携帯電話をとりださなくてもメールの内容を簡単に確認することができ、対面している相手に気付かれることなく、瞬時にメールの着信を確認することができるし、受信したメールの重要度等の情報まで瞬時に確認することができる。
【発明を実施するための最良の形態】
【００１３】
以下、本発明の実施の形態について、図面を参照して説明する。
【００１４】
（第１の実施形態）
図１は本発明の第１の実施形態に係る装着型情報告知装置の外形図である。図１において、１１は外部と通信して情報を受信する本体、１２はユーザが装着するヘッドセットである。本体１１は、携帯電話等と同様の大きさの大型ディスプレイ１０８を有する。ヘッドセット１２は、弾性を有するカチューシャによってユーザの頭部にほぼ水平に装着される形状となっていて、カチューシャの一端に小型ディスプレイ１０７を有する。
【００１５】
図２は図１の装着型情報告知装置をユーザが装着した状態を示す図であり、（ａ）は側面図、（ｂ）は正面図である。ヘッドセット１２を装着したとき、小型ディスプレイ１０７は装着者の眼前に、その視界に入るように設置される。本体１１は、ユーザのベルトやポケットなどに携帯される。
【００１６】
図３は図１の装着型情報告知装置の機能ブロック図である。図３において、１０１は外部と通信し、情報を受信する情報受信部、１０２は情報受信部を制御する制御部、１０３は制御部１０２の操作をユーザから受け付ける操作部、１０４は情報受信部１０１が受信した情報のうち、その一部を、小型ディスプレイ１０７に表示させるために抽出する情報抽出部、１０５は情報抽出部１０４が抽出した情報をヘッドセット１２に送信する送信部、１０６は本体１１からの情報を受信する受信部である。
【００１７】
以上のように構成された本実施形態に係る装着型情報告知装置について、図４のフローチャートを参照して、その動作を説明する。ここでは、情報受信部１０１は無線公衆網に接続されており、外部からの情報として電子メールを受信するものとする。
【００１８】
［ステップＳ１１］
操作部１０３は、小型ディスプレイ１０７に表示する項目に関する設定入力をユーザから受け付ける。ユーザが入力可能な項目は、表示するメール属性（「差出人」「件名」「重要度」「キーワード」）の選択、表示するメール属性の属性値の条件、メール属性の属性値と表示の文字色または背景色との関連付け、表示の点滅動作の有無である。例えば、ユーザは、メール属性として「キーワード」を表示し、「キーワード」に「Ｃ」が含まれる場合は文字を「赤色」で表示し、表示は「点滅動作」で表示させる、という内容を設定可能である。また、例えばある特定のユーザからのメールが届いた場合は「緑」という設定を行ったり、件名中や情報中に重要なキーワードが含まれるときには「青」という設定を行ったり、メールの送信者が重要度を設定したメールを受け取った場合には「黄」といった設定を行うことができるし、送信者が色を指定しても良い。
【００１９】
［ステップＳ１２］
制御部１０２は、ステップＳ１１での入力に基づき、情報受信部１０１に情報受信開始の指示を行い、情報抽出部１０４に情報抽出方法の指示を行う。
【００２０】
［ステップＳ１３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
【００２１】
［ステップＳ１４］
情報抽出部１０４は、ステップＳ１１での入力に基づき、情報受信部１０１が受信した情報から差出人、件名、重要度またはキーワードを切り出し、表示色や点滅の表示属性を加えた表示信号として送信部１０５に渡す。
【００２２】
［ステップＳ１５］
送信部１０５は、ステップＳ１４で抽出した表示信号を近距離無線を用いてヘッドセット１２に送信する。
【００２３】
［ステップＳ１６］
受信部１０６は、ステップＳ１５で送信された表示信号を、近距離無線を用いて受信する。
【００２４】
［ステップＳ１７］
受信部１０６は、ステップＳ１６で受信した表示信号を小型ディスプレイ１０７を通じて表示する。
【００２５】
［ステップＳ１８］
操作部１０３は、ステップＳ１３で受信し保管されているメールの大型ディスプレイ１０８への表示の指示入力をユーザから受け付ける。所定時間内に指示があったときはステップＳ１９に進む一方、所定時間内に指示がなかったときはステップＳ１３に戻る。
【００２６】
［ステップＳ１９］
制御部１０２は、ステップＳ１８での入力指示に基づき、情報受信部１０１に大型ディスプレイ１０８への表示の指示を行う。
【００２７】
［ステップＳ１Ａ］
情報受信部１０１は、ステップＳ１３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ１３に戻る。
【００２８】
図５は以上のような動作の結果得られた、小型ディスプレイ１０７と大型ディスプレイ１０８の表示例を示す。図５では、まず、メールの到着とユーザにより選択されたメール属性（「差出人」「件名」「重要度」「キーワード」のいずれか）が小型ディスプレイ１０７に表示される。以降、ユーザの操作によって、メールリストおよびメール本文が大型ディスプレイ１０８に表示される。また、小型ディスプレイに、色のみを表示させたり、点滅表示させたりしても良い。
【００２９】
以上のように本実施形態によると、装着者の眼前に設置されたディスプレイにメールの到着と内容の一部を表示することによって、本体を取り出さなくてもメールの着信を告知することができる。
【００３０】
また、色情報を用いることによって、ユーザは、小型ディスプレイを注視しなくても受け取ったメールの内容の概略を察知することができる。
【００３１】
また、例えば、大型ディスプレイで情報を閲覧中に、ユーザが重要な情報を読んでいるとき、小型ディスプレイにその情報の重要度を示す情報を提示する、といった用途も考えられる。すなわち、ユーザは大型ディスプレイを注視しているが、重要な情報に差し掛かったときに小型ディスプレイに色情報等を表示することによって、ユーザに、大型ディスプレイを注視させたまま、注意を促すことができる。
【００３２】
（第２の実施形態）
上述の第１の実施形態では、小型ディスプレイを用いて情報を告知するものとしたが、第２の実施形態では、さらにイヤホンを用いた音声によって情報を告知するものである。
【００３３】
図６は本実施形態に係る装着型情報告知装置の外形図、図７は図６の装着型情報告知装置をユーザが装着した状態を示す図、図８は図６の装着型情報告知装置の機能ブロック図である。第１の実施形態に係る図１〜図３と共通の構成要素には同一の符号を付しており、ここでは詳細な説明は省略する。第１の実施形態との相違点は、ヘッドセット１２Ａが、耳に装着するイヤホン２０１と、情報抽出部１０４から出力された情報に基づいて、イヤホン２０１に音声信号を出力する音声告知部２０２とを備えたことである。
【００３４】
以上のように構成された本実施形態に係る装着型情報告知装置について、図９のフローチャートを参照して、その動作を説明する。ここでも第１の実施形態と同様に、情報受信部１０１は無線公衆網に接続されており、外部からの情報として電子メールを受信するものとする。
【００３５】
［ステップＳ２１］
操作部１０３は、小型ディスプレイ１０７に表示する項目およびイヤホン２０１で再生する音声に関する設定入力をユーザから受け付ける。ユーザが入力可能な項目は、表示するメール属性（「差出人」「件名」「重要度」「キーワード」）の選択、表示するメール属性の属性値の条件、メール属性の属性値と表示の文字色あるいは背景色との関連付け、および表示の点滅動作の有無、さらに加えて、メール属性の属性値と音声との関連付け、音量または音量の遷移設定である。例えば、ユーザは、メール属性として「キーワード」を表示し、「キーワード」に「Ｃ」が含まれる場合は文字を「赤色」で表示し、表示は「点滅動作」で表示させ、「効果音Ｈ」を「徐々に拡大する音量で」再生するという内容を設定可能である。
【００３６】
［ステップＳ２２］
制御部１０２は、ステップＳ２１での入力に基づき、情報受信部１０１に情報受信開始の指示を行い、情報抽出部１０４に情報抽出方法の指示を行う。
【００３７】
［ステップＳ２３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
【００３８】
［ステップＳ２４］
情報抽出部１０４は、ステップＳ２１での入力に基づき、情報受信部１０１が受信した情報から差出人、件名、重要度またはキーワードを切り出し、表示色や点滅の表示属性を加えた表示信号として送信部１０５に渡す。また、本体１１に予め記憶されている複数の音声から、切り出した情報との関連付けを設定された音声を取り出し、再生信号として送信部１０５に渡す。
【００３９】
［ステップＳ２５］
送信部１０５は、ステップＳ２４で抽出した表示信号および再生信号を近距離無線を用いてヘッドセット１２に送信する。
【００４０】
［ステップＳ２６］
受信部１０６は、ステップＳ２５で送信された表示信号および再生信号を、近距離無線を用いて受信する。
【００４１】
［ステップＳ２７］
受信部１０６は、ステップＳ２６で受信した表示信号を小型ディスプレイ１０７を通じて表示する。また、再生信号を音声告知部２０２に渡す。
【００４２】
［ステップＳ２８］
音声告知部２０２は、再生信号をイヤホン２０１を通じて再生する。
【００４３】
［ステップＳ２９］
操作部１０３は、ステップＳ２３で受信し保管されているメールの大型ディスプレイ１０８への表示の指示入力をユーザから受け付ける。所定時間内に指示があったときはステップＳ２Ａに進む一方、所定時間内に指示がなかったときはステップＳ２３に戻る。
【００４４】
［ステップＳ２Ａ］
制御部１０２は、ステップＳ２９での入力に基づき、情報受信部１０１に大型ディスプレイ１０８への表示の指示を行う。
【００４５】
［ステップＳ２Ｂ］
情報受信部１０１は、ステップＳ２３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ２３に戻る。
【００４６】
以上のように本実施形態によると、ユーザの眼前に設置された小型ディスプレイにメールの到着と内容の一部を表示し、さらにイヤホンの音声によって告知することにより、小型ディスプレイの表示に気付かない場合でもメールの着信を確実に告知することができる。
【００４７】
（第３の実施形態）
上述の第２の実施形態では、小型ディスプレイでの表示に加えて音声を用いて情報を告知するものとしたが、第３の実施形態は、音声ではなく振動で情報を告知するものである。
【００４８】
図１０は本実施形態に係る装着型情報告知装置の外形図、図１１は図１０の装着型情報告知装置をユーザが装着した状態を示す図、図１２は図１０の装着型情報告知装置の機能ブロック図である。第１の実施形態に係る図１〜図３と共通の構成要素には同一の符号を付しており、ここでは詳細な説明は省略する。第１の実施形態との相違点は、ヘッドセット１２Ｂが、頭部に振動を与える振動部３０１と、情報抽出部１０４から出力された情報に基づいて、振動部３０１を振動信号によって駆動する振動告知部３０２とを備えたことである。
【００４９】
以上のように構成された本実施形態に係る装着型情報告知装置について、図１３のフローチャートを参照して、その動作を説明する。ここでも第１の実施形態と同様に、情報受信部１０１は無線公衆網に接続されており、外部からの情報として電子メールを受信するものとする。
【００５０】
［ステップＳ３１］
操作部１０３は、小型ディスプレイ１０７に表示する項目および振動部３０１での振動制御パターンに関する設定入力をユーザから受け付ける。ユーザが入力可能な項目は、表示するメール属性（「差出人」「件名」「重要度」「キーワード」）の選択、表示するメール属性の属性値の条件、メール属性の属性値と表示の文字色あるいは背景色との関連付け、および表示の点滅動作の有無、さらに加えて、メール属性の属性値と振動パターンとの関連付けである。例えば、ユーザは、メール属性として「キーワード」を表示し、「キーワード」に「Ｃ」が含まれる場合は文字を「赤色」で表示し、表示は「点滅動作」で表示させ、「振動パターンＪ」で振動させるという内容を設定可能である。
【００５１】
［ステップＳ３２］
制御部１０２は、ステップＳ３１での入力に基づき、情報受信部１０１に情報受信開始の指示を行い、情報抽出部１０４に情報抽出方法の指示を行う。
【００５２】
［ステップＳ３３］
情報受信部１０１は所定の時間間隔で、無線公衆網を経由して図示しない外部のメールサーバと通信を行い、新着電子メールを受信する。そして、受信した電子メールを保管するとともに、情報抽出部１０４に渡す。
【００５３】
［ステップＳ３４］
情報抽出部１０４は、ステップＳ３１での入力に基づき、情報受信部１０１が受信した情報から差出人、件名、重要度またはキーワードを切り出し、表示色や点滅の表示属性を加えた表示信号として送信部１０５に渡す。また、本体１１に予め記憶されている複数の振動パターンから、切り出した情報との関連付けを設定された振動パターンを取り出し、振動信号として送信部１０５に渡す。
【００５４】
［ステップＳ３５］
送信部１０５は、ステップＳ３４で抽出した表示信号および振動信号を近距離無線を用いてヘッドセット１２に送信する。
【００５５】
［ステップＳ３６］
受信部１０６は、ステップＳ３５で送信された表示信号および振動信号を近距離無線を用いて受信する。
【００５６】
［ステップＳ３７］
受信部１０６は、ステップＳ３６で受信した表示信号を小型ディスプレイ１０７を通じて表示する。また、振動信号を振動告知部３０２に渡す。
【００５７】
［ステップＳ３８］
振動告知部３０２は、振動信号により振動部３０１を振動駆動する。
【００５８】
［ステップＳ３９］
操作部１０３は、ステップＳ３３で受信し保管されているメールの大型ディスプレイ１０８への表示の指示入力をユーザから受け付ける。所定時間内に指示があったときはステップＳ３Ａに進む一方、所定時間内に指示がなかったときはステップＳ３３に戻る。
【００５９】
［ステップＳ３Ａ］
制御部１０２は、ステップＳ３９での入力に基づき、情報受信部１０１に大型ディスプレイ１０８への表示の指示を行う。
【００６０】
［ステップＳ３Ｂ］
情報受信部１０１は、ステップＳ３３で受信し保管されているメールの一覧を大型ディスプレイ１０８を通じて表示する。一覧表示中は、選択されたメールの本文表示への切り換えが、本文表示中は、一覧表示への切り換えが、それぞれユーザ操作によって可能である。所定時間内にユーザの操作がなかったときは、大型ディスプレイ１０８への表示を消去し、ステップＳ３３に戻る。
【００６１】
以上のように本実施形態によると、ユーザの眼前に設置された小型ディスプレイにメールの到着と内容の一部を表示し、さらに頭部への振動によって告知することにより、音声による確認が困難な状況でもメールの着信を確実に告知することができる。
【００６２】
なお、第１〜第３の実施形態では、情報の受信は無線公衆網を用いたが、固定公衆網やテレビ放送ラジオ放送など他の方法でも良い。また、情報としてメールを受信するものとしたが、ニュースや番組表など他の情報でも良い。また、本体とヘッドセット間の通信は近距離無線を用いていたが、有線の通信や赤外線通信など他の通信手段でも良い。また、情報抽出部は本体側にあったが、ヘッドセット側にあっても良い。
【００６３】
（第４の実施形態）
上述の第１〜第３の実施形態では、外部からの情報を告知するものとしたが、第４の実施形態は、本体に挿入した媒体に記憶された情報を告知できるようにしたものである。
【００６４】
図１４は本実施形態に係る装着型情報告知装置の外形図である。図１４において、４１はＤＶＤなどの記録媒体４３から情報を読み出す本体、４２はユーザが装着するヘッドセットである。ヘッドセット４２は外観的には図６に示すヘッドセット１２Ａと同様に構成されており、弾性を有するカチューシャによってユーザの頭部にほぼ水平に装着される形状となっていて、カチューシャの一端に小型ディスプレイ４０７を有し、また、耳に装着するイヤホン４０９を有する。
【００６５】
図１５は図１４の装着型情報告知装置をユーザが装着した状態を示す図である。ヘッドセット４２を装着したとき、小型ディスプレイ４０７は装着者の眼前に、その視界に入るように設置される。本体４１は、ユーザのベルトやポケットなどに携帯される。
【００６６】
図１６は図１４の装着型情報告知装置の機能ブロック図である。図１６において、４０１は媒体４３に記憶されている情報を再生する媒体再生部、４０２は媒体再生部を制御する制御部、４０３は制御部の操作をユーザから受け付ける操作部、４０４は媒体再生部４０１が再生した情報をヘッドセット４２に送信する送信部、４０５は本体４１からの情報を受信する受信部、４０６は受信部４０５が受信した情報のうち、その一部を、小型ディスプレイ４０７に表示させるために抽出する情報抽出部、４０８は受信部４０５が受信した情報を音声に変換する音声変換部である。
【００６７】
以上のように構成された本実施形態に係る装着型情報告知装置について、図１７のフローチャートを参照して、その動作を説明する。ここでは、媒体再生部４０１はＳＤ（Secure Disk ）等に記録された音楽および楽曲データを再生するものとする。
【００６８】
［ステップＳ４１］
操作部４０３は、小型ディスプレイ４０７に表示する項目に関する設定入力をユーザから受け付ける。ユーザが入力可能な項目は、楽曲属性（「トラック番号」「アーティスト名」「曲名」「歌詞」）それぞれの表示の有無の選択である。また、操作部４０３は、再生の開始・停止などの制御操作をユーザから受け付ける。
【００６９】
［ステップＳ４２］
制御部４０２は、ステップＳ４１での入力に基づき、媒体再生部４０１に再生開始の指示を行う。
【００７０】
［ステップＳ４３］
送信部４０４は、ステップＳ４２で再生した情報を近距離無線を用いてヘッドセット４２に送信する。
【００７１】
［ステップＳ４４］
受信部４０５は、ステップＳ４３で送信した情報を近距離無線を用いて受信する。
【００７２】
［ステップＳ４５］
受信部４０５は、ステップＳ４４で受信した情報を情報抽出部４０６と音声変換部４０８に渡す。
【００７３】
［ステップＳ４６］
情報抽出部４０６は、ステップＳ４４で受信した情報から表示情報を取り出し、小型ディスプレイ４０７を通じて表示する。図１８は小型ディスプレイ１０７での表示の例である。
【００７４】
［ステップＳ４７］
音声変換部４０８は、ステップＳ４４で受信した情報から音声情報を取り出し、音声信号に変換し、イヤホン４０９を通じて再生する。
【００７５】
以上のように本実施形態によると、眼前に設置された小型ディスプレイに、媒体に記憶された情報の一部を表示することによって、ユーザが、媒体を再生させたときの付加情報を簡単に確認することができる。
【００７６】
なお、本実施形態では、本体とヘッドセット間の通信は近距離無線を用いていたが、有線の通信や赤外線通信など他の通信手段を用いてもよい。
【００７７】
（第５の実施形態）
本発明の第５の実施形態は、複数の機器から受けた情報を受信側の機器で選択的に表示するものである。図１９は本実施形態に係る装着型情報告知装置の機能ブロック図である。図１９において、図３および図１６と共通の構成要素には同一の符号を付しており、ここではその詳細な説明を省略する。ヘッドセット５２において、５０５は本体１１，４１からの情報を受信する受信部、５０６は受信部５０５が受信した情報から表示または再生する情報を選択する情報選択部、５０８は受信部５０５が受信した情報を音声に変換する音声変換部、５０７は情報を表示する小型ディスプレイ、５０９は音声を再生するイヤホンである。
【００７８】
以上のように構成された本実施形態に係る装着型情報告知装置の動作について、説明する。音楽再生とその楽曲情報の表示については、上述の第４の実施形態と同様である。さらに、音楽を再生中に緊急のメール等が情報受信部１０１に着信したとする。このとき、着信したメールから情報抽出部１０４で予め設定されていた情報が抽出され、送信部１０５を介して受信部５０５で受信される。受信部５０５で受信されたメールは、音楽再生に対してメール受信を優先するように設定されていた場合は、情報選択部５０６においてメール内容が選択され、楽曲情報が表示されている小型ディスプレイの内容が変更され、メールの内容が表示される。後の処理の流れは、第１の実施形態と同様なので、説明を省略する。
【００７９】
これにより、複数の機器からの情報を選択的に小型ディスプレイに統合表示することができる。ユーザは、情報の優先度を設定しておけば、一個のディスプレイで複数の機器の制御や状態確認を行うことができる。
【００８０】
なお、本実施の形態では、本体とヘッドセット間の通信は近距離無線を用いていたが、有線の通信や赤外線通信など他の通信手段を用いても良い。
【００８１】
（第６の実施形態）
上述の各実施形態では、小型ディスプレイはユーザの眼前に設置されているため、突然、情報を表示すると、ユーザが驚き困惑する場合がある。例えば、ヘッドセットを装着して車を運転しているユーザに対して、メール等の着信の通知を小型ディスプレイにいきなり表示すると、安全性の面で問題がある。また、映画館や博物館等の公共施設のように周囲が暗い場所では、ユーザの眼も周囲の状況に合わせているが、このとき、眼前に設置された小型ディスプレイにいきなり明るい輝度で情報が表示されても、ユーザが情報を確認することは困難である。本発明の第６の実施形態は、このような課題を解決するものである。
【００８２】
図２０は本実施形態に係る装着型情報告知装置の機能ブロック図であり、図３と共通の構成要素には同一の符号を付しており、ここではその詳細な説明を省略する。第１の実施形態と異なるのは、ヘッドセット１２Ｃが、与えられた制御信号に応じて小型ディスプレイ１０７の表示方式を制御する表示制御部６０１と、ヘッドセット１２Ｃ外部の環境状態を検出し、検出した環境状態に応じて表示制御部６０１に制御信号を与える環境検出部６０２とを備えている点である。
【００８３】
ここでは、環境検出部６０２は、ヘッドセット１２Ｃ外部の明るさを検出するものとする。そして表示制御部６０１は、環境検出部６０２によって検出された明るさに応じて、小型ディスプレイ１０７の表示の明るさを制御する。例えば表示制御部６０１は図２１のようなテーブルを予め記憶しており、環境検出部６０２によって検出された外部環境の明るさに応じて、小型ディスプレイ１０７の表示方式を選択する。これ以外の動作は、第１の実施形態と同様である。
【００８４】
これにより、周囲が暗い場合は、その暗さに合わせて情報が表示され、明るい場合は、それに合わせて情報が表示される。これにより、ユーザは、眼球に負担をかけることなく、情報を確認することが可能になる。
【００８５】
なお、環境検出部６０２は、本体１１側に設けてもよい。
【００８６】
また、明るさ以外の環境状態を検出するようにしてもよい。例えば、環境検出部６０２によって、周囲の騒音を検出するようにしてもよい。一般に、ユーザは、外部騒音が大きい場合には、外部からの情報に対して気づきにくい傾向がある。そこで、外部騒音が大きいときは、情報をユーザにより確実に知らせるために、通常よりも明るく表示したり、提示する画面をブリンクさせたりする。
【００８７】
また、環境検出部６０２によってユーザ本人の声が多く検出されたときは、ユーザは誰かと会話していると判断して、情報提示のタイミングを遅らせてもよい。これにより、ユーザと他人との交流を妨げることなく、小型ディスプレイに情報を提示することが可能になる。
【００８８】
また、環境検出部６０２においてジャイロ等によって振動を検出し、その振動パターンからユーザが歩行中または走行中と判断したときは、情報提示のタイミングを遅らせるようにしてもよい。
【００８９】
また、図２０の構成では、環境検出部６０２をヘッドセットに設けていたが、この代わりに、当該装着型情報告知装置の外部にある環境検出手段によって検出された環境情報を、無線または有線のネットワークを介して受信し、これに応じて小型ディスプレイ１０７の表示方式を制御してもよい。図２２はこのような構成を示す図であり、図２０の環境検出部６０２の代わりに、外部から環境情報を受け、受けた環境情報に応じて表示制御部６０１に制御信号を与える環境情報受信部６０３が設けられている。
【００９０】
ここでは、ユーザが自動車を運転中であり、環境情報受信部６０３は環境情報として、現在の車の速度を自動車のセンサから受信するものとする。そして、第１の実施形態におけるステップＳ１７において、表示制御部６０１は、車が移動中のときは、小型ディスプレイ１０７の表示を行わないようにし、車の速度がゼロまたは十分に遅くなったときに、小型ディスプレイ１０７での表示を行う。これにより、小型ディスプレイ１０７に表示がなされるのは、車の速度が遅くなり、十分に安全なことが確認されたときに限られるので、安全面で問題が生じることはない。。
【００９１】
また、車の速度だけでなく、例えば、サイドブレーキをかけたことや、エンジンを停止させたことを検出することにより、そのタイミングで情報を表示することもできる。
【００９２】
また、ＧＰＳ等の情報やジャイロの情報を利用することにより、例えば、ユーザが移動中（運転中や歩行中）の場合には、小型ディスプレイに表示する情報を制限することもできる。
【００９３】
また、図２３に示すように、例えば小型モータのような駆動機構６０４を設けて、小型ディスプレイ１０７が、装着者の眼前に設置されるか、または、装着者の眼前以外の位置に設置されるかを切り替え可能にしてもよい。これにより、例えば、ユーザにとって必要な情報があるときだけ、眼前に小型ディスプレイ１０７を設置し、ユーザにとって必要な情報がないときは、ユーザの視野から小型ディスプレイ１０７を外して、日常生活においてユーザの視野を妨げないようにすることができる。
【００９４】
図２４はこの場合の装着型情報告知装置の機能ブロック図である。図２４の構成では、ヘッドセット１２Ｅは、情報抽出部１０４から出力され受信部１０６によって受信された情報に基づいて、駆動機構６０４の動作を制御する駆動制御部６０５を備えている。また駆動制御部６０５は、環境情報受信部６０３によって受信された環境情報を加味して、駆動機構６０４の動作を制御する。
【００９５】
具体的には駆動制御部６０５は、例えば、ユーザにとって必要な情報が受信され、かつ、ユーザに情報を提示しても十分に安全な場合にのみ、駆動機構６０４を駆動して、小型ディスプレイ１０７をユーザの眼前に設置する。すなわち、ユーザが自動車等を運転している場合において、ユーザにとって特に必要な情報がないときは、小型ディスプレイ１０７をユーザの眼前からずらし、ユーザの視界を妨げることがないようにする。そして、ユーザにとって必要な情報が受信され、かつ、ユーザに情報を提示しても十分に安全なとき（例えば自動車が停止しているとき）のみ、小型ディスプレイ１０７を眼前に設置して、ユーザに情報を提示する。
【００９６】
すなわち、ここでは、小型ディスプレイを有するヘッドセットとして、前記小型ディスプレイを、装着者の眼前、または、装着者の眼前以外の位置に切替設置可能な駆動機構と、外部から情報を受信して、前記小型ディスプレイに出力する受信部と、前記受信部によって受信された情報に基づいて、前記駆動機構の動作を制御する駆動制御部とを備えたものが、示されている。
【００９７】
受信した情報がユーザにとって必要か否かは、例えば次のようにして判断すればよい。すなわち、ユーザの興味に関するキーワード、例えば「プロ野球」を予め駆動制御部６０５に登録しておく。そして、この「プロ野球」に関する情報を受信したとき、駆動機構６０４を動作させるように設定しておく。これにより、「プロ野球」以外のジャンルに関する情報、例えば経済ニュースやサッカーなどプロ野球以外のスポーツ情報を受信しても、駆動機構６０４は動作せず、ユーザに情報は提示されない。
【００９８】
また、図２５に示すように、小型ディスプレイ１０７が前後にスライドするように構成してもよい。これにより、頭の大きさの違うユーザが、容易に調整することができる。
【００９９】
（第７の実施形態）
上述の第１〜第３の実施形態では、外部からメールが着信したとき、その一部の情報を小型ディスプレイに表示するものとしたが、小型ディスプレイに表示する情報は、ＴＶ放送のニュース等のコンテンツであってもよい。この場合、ユーザは、そのコンテンツを見ることに集中するあまりに、周囲の状況の把握が遅れてしまう可能性がある。例えば、電車やバス等の交通機関で移動中に、眼前の小型ディスプレイでコンテンツを見ていた場合、そのコンテンツに集中しすぎて、目的の駅や停留所を乗り過ごしてしまう可能性が考えられる。本実施形態は、このような課題を解決するためになされたものである。
【０１００】
図２６は本実施形態に係る装着型情報告知装置の構成を示す機能ブロック図である。図２６において、ヘッドセット１２Ｆは、第２の情報受信部としての外部情報受信部７０１と、情報合成部７０２とを備えている。情報合成部７０２は、本体１１が有する第１の情報受信部としての情報受信部１０１によって受信された、例えばＴＶ放送番組のような第１の情報を、小型ディスプレイ１０７に表示させる。また、装着者が利用しているバスや電車などの交通機関の運行状態に関する第２の情報が外部情報受信部７０１によって受信されたとき、情報合成部７０２は、この第２の情報を第１の情報に合成して小型ディスプレイ１０７に表示させる。
【０１０１】
例えば図２７に示すように、ニュース番組が表示されているときに、外部情報受信部７０１によって電車の駅の到着情報が取得されたときは、テロップ等を用いて情報を合成して表示する。これにより、ユーザは、小型ディスプレイ１０７の表示情報に集中しすぎて、電車のアナウンス等を聞き漏らしたとしても、小型ディスプレイ１０７でその内容を確認することができる。
【０１０２】
また図２８に示すように、外部情報受信部７０１および情報合成部７０２を本体１１Ａに設けてもよい。
【０１０３】
すなわち、ここでは、装着型情報告知装置として、小型ディスプレイが設けられており、装着者の眼前に前記小型ディスプレイを設置可能なヘッドセットと、外部と通信し、第１の情報を受信する第１の情報受信部と、外部と通信し、第２の情報を受信する第２の情報受信部と、前記第１の情報を前記小型ディスプレイに表示させるとともに、前記第２の情報が前記第２の情報受信部によって受信されたとき、この第２の情報を、前記第１の情報に合成して前記小型ディスプレイに表示させる情報合成部とを備えたものが、示されている。
【０１０４】
そして、前記第１の情報は、ＴＶ放送番組であり、前記第２の情報は、前記装着者が利用している交通機関の運行状態に関する情報であるのが好ましい。
【０１０５】
（第８の実施形態）
図１および図２では、ユーザの後頭部に支柱をまわすことによって、眼前に小型ディスプレイ１０７を固定していた。しかしながら、小型ディスプレイの設置手段はこれに限られるものではない。
【０１０６】
図２９は小型ディスプレイ１０７にクリップのような固定手段８０１を装着した構成を示す。これにより、ユーザの場所や状況に応じて、小型ディスプレイ１０７を見やすい位置に設置することが可能になる。例えば、屋外では、帽子等のつばにつけることも可能である。そして、野球などの屋外スポーツを観戦するとき、通信機能本体に提供された情報をすべて提示するのではなく、例えば自分の応援するチームを予め設定しておくことによって、攻撃の場合には、打者に関する情報を表示し、守備の場合には、投手や野手に関する情報を表示する、といったことも可能になる。
【０１０７】
また図１および図２に示すように、頭部の水平方向の支柱を用いて小型ディスプレイ１０７を固定することによって、左右いずれか片方の眼で情報を確認することができる。しかしながら、小型ディスプレイ１０７で提供される情報を長時間凝視していると、片方の眼に疲労がたまることがある。また、ユーザの顔が上下方向に動くと小型ディスプレイ１０７が上下方向にゆれ、情報が確認しずらくなる。
【０１０８】
そこで、図３０に示すように、小型ディスプレイ１０７を頭部の垂直方向の支柱８０２を用いて固定する。これにより、小型ディスプレイ１０７で提供される情報を左右いずれの眼でも確認することができ、また、頭部の上下方向の運動に対して、小型ディスプレイ１０７のぶれを少なくすることが可能になる。
【０１０９】
（第９の実施形態）
図３１は本発明の第９の実施形態に係るヘッドセットの外形図、図３２は図３１のヘッドセットを含む装着型情報告知装置をユーザが装着した状態を示す図である。図３１に示すヘッドセット９０は、人の頭部に、一方の側部から後部を経て他方の側部にかけて固定可能なカチューシャ形の基体９１と、基体９１の一方の端部に設けられたカメラ９２と、基体９１の他方の端部に設けられた小型ディスプレイ９３とを備えている。ユーザが基体９０を頭に固定してヘッドセット９０を装着したとき、カメラ９２はそのユーザの前方を撮影可能になり、小型ディスプレイ９３はユーザの眼前に設置される。９５は外部と通信して情報を受信する本体である。
【０１１０】
また図３１のヘッドセット９０は左右両用に構成されている。すなわち、図３１のままで装着した場合には、小型ディスプレイ９３はユーザの左眼の前に設置され、上下を反転して装着した場合には、小型ディスプレイ９３はユーザの右眼の前に設置される。そして、ヘッドセット９０には、ヘッドセット９０の上下を検出するジャイロや水銀スイッチなどの上下検出部９４が設けられており、この上下検出部９４の検出結果から、小型ディスプレイ９３の画像の上下を判断することができる。このため、ユーザはヘッドセット９０の左右を特に意識することなく、装着することができる。
【０１１１】
図３３は本実施形態に係る装着型情報告知装置の機能ブロック図である。図３３において、ヘッドセット９０に設けられた小型カメラ９２は、ユーザが向いている方の画像情報を取り込む。上下検出部９４はヘッドセット９０の上下を検出し、この検出結果を上下信号ＳＵＤとして出力する。この上下信号ＳＵＤは、小型カメラ９２の位置がユーザの右か左か、小型ディスプレイ９３の位置がユーザの左眼の前か右眼の前か、を表している。画像送信部９０１は小型カメラ９２によって撮影された画像信号に上下信号ＳＵＤを付加して送信する。
【０１１２】
本体９５側では、画像受信部９０３が、画像送信部９０１から送信された，上下信号ＳＵＤが付加された画像信号を受信する。画像蓄積部９０４は、ユーザによる操作部９０２の操作に従い、受信した画像信号を蓄積する。このとき、上下信号ＳＵＤが表すヘッドセット９０の上下方向を加味して蓄積する。具体的には、ヘッドセット９０が上下反転して装着されていることを上下信号ＳＵＤが示すときは、画像信号を上下反転して蓄積する。画像送信部９０５は画像蓄積部９０４に蓄積された画像信号を送信する。画像信号を蓄積しない場合でも、上下信号ＳＵＤが示す上下方向を加味して画像信号を加工し、送信する。
【０１１３】
ヘッドセット９０側では、画像受信部９０６が、画像送信部９０５から送信された画像信号を受信するとともに、上下検出部９４から上下信号ＳＵＤを受信する。そして、受信した画像信号の上下を、上下信号ＳＵＤに応じて設定し、小型ディスプレイ９３に表示させる。すなわち、ヘッドセット９０が上下反転して装着されていることを上下信号ＳＵＤが示すときは、受信した画像信号を上下反転して小型ディスプレイ９３に表示する。
【０１１４】
このような構成によって、図３４に示すように、ヘッドセット９０の左右を逆に装着した場合でも、ユーザから見たとおりの画像が小型ディスプレイ９３に表示される。また、画像を蓄積する場合も、ユーザから見たとおりの画像を保存することが可能になる。
【０１１５】
すなわち、ここでは、ヘッドセットとして、人の頭部に、一方の側部から後部を経て他方の側部にかけて固定可能なカチューシャ形の基体と、前記基体の一方の端部に設けられ、前記基体が頭に固定されたとき、前記人の前方を撮影可能なカメラと、前記基体の他方の端部に設けられ、前記基体が頭に固定されたとき、前記人の眼前に設置される小型ディスプレイとを備えたものが、示されている。
【０１１６】
さらに、当該ヘッドセットの上下を検出し、この検出結果を上下信号として出力する上下検出部と、前記カメラによって撮影された画像信号に、前記上下検出部から出力された上下信号を付加して、外部に送る画像送信部と、外部から画像信号を受信し、この画像信号の上下を、前記上下検出部から出力された上下信号に応じて設定し、前記小型ディスプレイに表示させる画像受信部とを備えているのが、好ましい。
【０１１７】
また、本実施形態に係るヘッドセットでは、小型ディスプレイ９３がユーザの視野の全てを妨げるようには設置されていない。このため、図３５に示すように、小型カメラ９２によって撮影した画像を小型ディスプレイ９３に表示することによって、ユーザは、周囲の状況を確認しつつ、撮影画像を確認することができる。従来、ムービー等で撮影する際には、液晶画面を見てカメラ方向を確認する作業と、周囲の状況を確認する作業とで、頭部の移動が伴うために、撮影画像にぶれが生じる場合が多い。これに対して、本実施形態に係るヘッドセットを用いて撮影を行えば、ユーザの視線を変更するだけで、撮影画像と周囲状況とを同時に確認することができ、したがって、撮影画像のぶれを軽減することが可能になる。
【図面の簡単な説明】
【０１１８】
【図１】本発明の第１の実施形態に係る装着型情報告知装置の外形図である。
【図２】図１の装着型情報告知装置をユーザが装着した状態を示す図である。
【図３】図１の装着型情報告知装置の機能ブロック図である。
【図４】図１の装着型情報告知装置の動作を示すフローチャートである。
【図５】第１の実施形態で得られたディスプレイの表示例である。
【図６】本発明の第２の実施形態に係る装着型情報告知装置の外形図である。
【図７】図６の装着型情報告知装置をユーザが装着した状態を示す図である。
【図８】図６の装着型情報告知装置の機能ブロック図である。
【図９】図６の装着型情報告知装置の動作を示すフローチャートである。
【図１０】本発明の第３の実施形態に係る装着型情報告知装置の外形図である。
【図１１】図１０の装着型情報告知装置をユーザが装着した状態を示す図である。
【図１２】図１０の装着型情報告知装置の機能ブロック図である。
【図１３】図１０の装着型情報告知装置の動作を示すフローチャートである。
【図１４】本発明の第４の実施形態に係る装着型情報告知装置の外形図である。
【図１５】図１４の装着型情報告知装置をユーザが装着した状態を示す図である。
【図１６】図１４の装着型情報告知装置の機能ブロック図である。
【図１７】図１４の装着型情報告知装置の動作を示すフローチャートである。
【図１８】第４の実施形態で得られたディスプレイの表示例である。
【図１９】本発明の第５の実施形態に係る装着型情報告知装置の機能ブロック図である。
【図２０】本発明の第６の実施形態に係る装着型情報告知装置の機能ブロック図である。
【図２１】図２０における表示制御部が記憶しているテーブルの例である。
【図２２】本発明の第６の実施形態に係る装着型情報告知装置の他の例の機能ブロック図である。
【図２３】駆動機構を備えたヘッドセットの外形図である。
【図２４】図２３のヘッドセットを備えた装着型情報告知装置の機能ブロック図である。
【図２５】スライド機構を備えたヘッドセットの外形図である。
【図２６】本発明の第７の実施形態に係る装着型情報告知装置の構成を示す機能ブロック図である。
【図２７】図２６の装着型情報告知装置における小型ディスプレイの表示例である。
【図２８】本発明の第７の実施形態に係る装着型情報告知装置の他の例の機能ブロック図である。
【図２９】本発明の第８の実施形態に係る，固定手段が装着された小型ディスプレイの外形図である。
【図３０】本発明の第８の実施形態に係る，垂直方向の支柱を用いたヘッドセットの外形図である。
【図３１】本発明の第９の実施形態に係るヘッドセットの外形図である。
【図３２】図３１のヘッドセットを含む装着型情報告知装置をユーザが装着した状態を示す図である。
【図３３】図３１のヘッドセットを含む装着型情報告知装置の機能ブロック図である。
【図３４】図３３の装着型情報告知装置における小型ディスプレイの表示例である。
【図３５】図３１のヘッドセットを用いた撮影状況を表す図である。
【国際調査報告】
2003046732.tif 000073
2003046732.tif 000074
2003046732.tif 000075
2003046732.tif 000076